(57)【特許請求の範囲】
【請求項１】
下記の一般式（Ａ−１）で表されるピロリドン構造を有する複素環化合物と下記一般式（１−１）で表されるポリエーテルアミン及び／又は下記一般式（５−１）で表されるポリアルケニルアミンとからなる燃料油添加剤。
【化１】
0004537642.tif 000029
（一般式（Ａ−１）において、Ｙは炭素数２〜１８のアルキレン基を示し、ｈは１〜１０の整数を示す。）
【化２】
0004537642.tif 000030
（一般式（１−１）において、Ｒ２、Ｒ３、Ｒ４及びＲ５は、それぞれ個別に水素原子又は炭化数1〜２のアルキル基、Ｒ６は炭素数１〜３のアルキレン基を示し、ａは２〜５０の整数を示し、及びｂは０又は１を示す。）
【化３】
0004537642.tif 000031
（一般式（５−１）において、Ａはtert−ブチル基を示し、Ｒ１８及びＲ２０が共に水素原子かつＲ１９及びＲ２１が共にメチル基であるか、又はＲ１８及びＲ２０が共にメチル基かつＲ１９及びＲ２１が共に水素原子を示し、Ｂは、下記式（６）又は（１０）で表される基を示し、及びｍは１〜５０の整数を示す。）
【化４】
0004537642.tif 000032
【請求項２】
請求項１に記載の燃料油添加剤が燃料油に含有されてなる燃料油組成物。
【発明の詳細な説明】
【技術分野】
【０００１】
本発明は、燃料油に対する溶解性に優れ、特にガソリンエンジンの吸気系および燃焼室内の清浄性、ディーゼルエンジンの噴射ノズルの清浄性に優れた燃料油添加剤および該添加剤を含有してなる燃料油組成物に関するものである。
【背景技術】
【０００２】
内燃エンジンの燃料系統や燃焼室内にスラッジやデポジットなどの沈積物を生じると、エンジンの機能が低下したり、排気ガス中の一酸化炭素濃度や未燃炭化水素濃度が上昇するなどの不都合が起こる。このため、気化器または電子制御式噴射装置、吸気弁などにおけるデポジットの除去や付着防止を主な目的として、ガソリンなどの燃料油には、ポリエーテルアミン系やポリアミン系などのガソリン清浄剤で代表される燃料添加剤が添加される場合が多い。
この種の燃料添加剤の中では、下記特許文献１や２などに開示されたポリエーテル系ガソリン清浄剤が、吸気弁のデポジットの除去や付着防止に優れた性能を発揮して来た。
昨今においては自動車の燃費を向上させることに加えて、自動車排気ガスが及ぼす人体および環境への悪影響を払拭することに関心が集まっている。しかし、ポリエーテルアミン系やポリアミン系などを代表例とする従来のガソリン清浄剤は、吸気弁のデポジットの除去や付着防止には優れた性能を発揮する一方で、燃焼室内のデポジットを増加させる傾向にあり、総合的に排出ガスを改善するには至っておらず、ガソリンエンジンの吸気系および燃焼室内の清浄性に一段と優れ、特にエンジンの冷機時などの過酷な条件下においても、優れた清浄効果を発揮する燃料油添加剤の開発が待ち望まれている。
また、ディーゼルエンジンにおいては、噴射ノズル等にデポジットが堆積することで、燃料流量が変化したり、遅れが生じることで、運転性や排気ガスが悪化することが指摘されており、ガソリンエンジン同様優れた清浄効果を発揮する燃料油添加剤の開発が待ち望まれている。
【特許文献１】
米国特許第４，２４７，３０１号明細書
【特許文献２】
米国特許第４，１６０，６４８号明細書
【発明の開示】
【発明が解決しようとする課題】
【０００３】
本発明の目的は、従来のガソリン清浄剤を凌駕する性能を備え、さらにディーゼルエンジンの噴射ノズル清浄性にも優れ、しかもそれ自身はスラッジ化することのない新規な燃料油添加剤及び該添加剤を含有する燃料油組成物を提供することにある。
【発明が解決しようとする課題】
【０００４】
本発明者らは、ガソリンエンジンの吸気系および燃焼室内およびディーゼルエンジンの噴射ノズルの清浄性により優れた燃料油添加剤を開発すべく研究を重ねた結果、特定の複素環化合物とポリエーテルアミン及び／又はポリアルケニルアミンからなる清浄剤が従来のガソリン清浄剤より非常に優れた性能を有することを見出した。
本発明は、下記の一般式（Ａ−１）で表されるピロリドン構造を有する複素環化合物と下記一般式（１−１）で表されるポリエーテルアミン及び／又は下記一般式（５−１）で表されるポリアルケニルアミンとからなる燃料油添加剤にある。
【０００５】
【化１】
0004537642.tif 000002
（一般式（Ａ−１）において、Ｙは炭素数２〜１８のアルキレン基を示し、ｈは１〜１０の整数を示す。）
【化２】
0004537642.tif 000003
（一般式（１−１）において、Ｒ２、Ｒ３、Ｒ４及びＲ５は、それぞれ個別に水素原子又は炭化数1〜２のアルキル基、Ｒ６は炭素数１〜３のアルキレン基を示し、ａは２〜５０の整数を示し、及びｂは０又は１を示す。）
【化３】
0004537642.tif 000004
（一般式（５−１）において、Ａはtert−ブチル基を示し、Ｒ１８及びＲ２０が共に水素原子かつＲ１９及びＲ２１が共にメチル基であるか、又はＲ１８及びＲ２０が共にメチル基かつＲ１９及びＲ２１が共に水素原子を示し、Ｂは、下記式（６）又は（１０）で表される基を示し、及びｍは１〜５０の整数を示す。）
【化４】
0004537642.tif 000005
更に本発明は、内燃機関用燃料油に上記特定の添加剤を含有してなる燃料油組成物にもある。
【０００６】
以下に、本発明を更に詳細に説明する。
本発明の燃料油添加剤は、ピロリジン、ピロリドン（２−ピロリジノン）、ピロール（ピロール、２Ｈ−、４Ｈ−ピロール）、フラン(ジヒドロフラン、フラン)、テトラヒドロフラン（オキソラン）、ラクトン（γ―ラクトン、δ−ラクトン）、ピペリジン、ピペラジン、ピリジン（ピリジン、１，２−、１，４−ジヒドロピリジン）、テトラヒドロピラン、モルホリン、ジオキソラン、又はピペリドン（δ―ラクタム、２−ピペリドン、４−ピペリドン）構造を有する化合物（これらの化合物は置換基を有していてもよい）である。
本発明の複素環化合物は、上記単環構造であってもこの構造に更に他の環が縮合して形成された二環以上の多環（縮合環）構造からなるものであってもよい。本発明では、単環からなる化合物（置換基を有していてもよい）であることが好ましい。また複素環化合物は、飽和複素環化合物であることが特に好ましい。本発明では、これらの構造を有する化合物を２種以上組み合わせて用いることができる。
【０００７】
本発明の複素環化合物は、好ましくは、ピロリドン、テトラヒドロフラン、ラクトン、ピペリジン、ピペラジン、モルホリン又はジオキソラン構造を持つ化合物である。最も好ましくはピロリドン構造を持つ化合物である。
【０００８】
上記構造の複素環化合物が有する置換基としては、例えば、ヒドロキシル基、カルボキシル基（―ＣＯＯＨ）、アルデヒド基、シアノ基、ニトロ基、炭素数１〜３０の炭化水素基、―ＯＲ２７、―ＣＯＲ２８、―ＣＯＯＲ２９、−ＯＣＯＲ３０、―ＮＨＣＯＲ３１、―ＣＯＮＨＲ３２、―ＮＨＣＯＯＲ３３、―ＯＣＯＮＨＲ３４（上記Ｒ２７、Ｒ２８、Ｒ２９、Ｒ３０、Ｒ３１、Ｒ３２、Ｒ３３、及びＲ３４は各々独立に炭素数１〜３０の炭化水素基を表す）、複素環基及び下記の一般式（１３）で表される基：
−（ＹＯ）h−（ＣＯ）i−Ｒ３５          （１３）
（一般式（１３）において、Ｙは炭素数２〜１８のアルキレン基を示し、Ｒ３５は水素原子または炭素数１〜３０の炭化水素基を示し、ｈは１〜２００の整数であり、ｉは０または１であり、ただしＲ３５が水素原子の場合はｉ＝０である。）
を挙げることができる。
本発明の複素環化合物は、以上で挙げた置換基により二以上置換されていてもよく、また、これらの置換基は、置換可能である場合には上記置換基（上記置換基のうち炭素数１〜３０の炭化水素基、及び上記式（１３）で示される基は除く）で更に置換されていてもよい。具体例としては、Ｒ２７〜Ｒ３４は炭化水素基にヒドロキシル基が置換された場合を挙げることができる。
【０００９】
上記置換基について詳述する。
炭素数１〜３０の炭化水素基の好ましい例としては、炭素数１〜２４の直鎖状または分枝状のアルキル基、炭素数５〜１３のシクロアルキル基又はアルキルシクロアルキル基（アルキル置換クロアルキル基、以下同様である）、炭素数２〜２４の直鎖状又は分枝状のアルケニル基、炭素数６〜１８のアリール基またはアルキルアリール基（アルキル置換アリール基、以下同様である）、及び炭素数７〜１９のアリールアルキル基（アリール置換アルキル基、以下同様である）を挙げることができる。
【００１０】
上記アルキル基の好ましい例としては、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、直鎖または分枝ヘキサデシル基、直鎖または分枝ヘプタデシル基、直鎖または分枝オクタデシル基、直鎖または分枝ノナデシル基、直鎖または分枝イコシル基、直鎖または分枝ヘンイコシル基、直鎖または分枝ドコシル基、直鎖または分枝トリコシル基及び直鎖または分枝テトラコシル基などが挙げられる。
【００１１】
上記シクロアルキル基の好ましい例としては、シクロペンチル基、シクロヘキシル基、シクロヘプチル基などが挙げられ、また同じく上記アルキルシクロアルキル基の好ましい例としては、メチルシクロペンチル基、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基（すべての置換異性体を含む）、直鎖または分枝プロピルメチルシクロペンチル基（すべての置換異性体を含む）、直鎖または分枝プロピルエチルシクロペンチル基（すべての置換異性体を含む）、ジ−直鎖または分枝プロピルシクロペンチル基（すべての置換異性体を含む）、直鎖または分枝プロピルエチルメチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、直鎖または分枝プロピルエチルシクロヘキシル基（すべての置換異性体を含む）、ジ−直鎖または分枝プロピルシクロヘキシル基（すべての置換異性体を含む）、直鎖または分枝プロピルエチルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、トリメチルシクロヘプチル基（すべての置換異性体を含む）、ジエチルシクロヘプチル基（すべての置換異性体を含む）、エチルジメチルシクロヘプチル基（すべての置換異性体を含む）、直鎖または分枝プロピルメチルシクロヘプチル基（すべての置換異性体を含む）、直鎖または分枝プロピルエチルシクロヘプチル基（すべての置換異性体を含む）、ジ−直鎖または分枝プロピルシクロヘプチル基（すべての置換異性体を含む）及び直鎖または分枝プロピルエチルメチルシクロヘプチル基（すべての置換異性体を含む）などが挙げられる。
【００１２】
上記アルケニル基の好ましい例としては、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、直鎖または分枝デセニル基、直鎖または分枝ウンデセニル基、直鎖または分枝ドデセニル基、直鎖または分枝トリデセニル基、直鎖または分枝テトラデセニル基、直鎖または分枝ペンタデセニル基、直鎖または分枝ヘキサデセニル基、直鎖または分枝ヘプタデセニル基、オレイル基などの直鎖または分枝オクタデセニル基、直鎖または分枝ノナデセニル基、直鎖または分枝イコセニル基、直鎖または分枝ヘンイコセニル基、直鎖または分枝ドコセニル基、直鎖または分枝トリコセニル基及び直鎖または分枝テトラコセニル基などが挙げられる。なお、二重結合を二個有するブタジエニル基も好ましい例として挙げることができる。
【００１３】
上記アリール基の好ましい例としては、フェニル基及びナフチル基などが挙げられ、また同じく上記アルキルアリール基の好ましい例としては、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基（すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、テトラメチルフェニル基（すべての置換異性体を含む）、直鎖または分枝ペンチルフェニル基（すべての置換異性体を含む）、直鎖または分枝ヘキシルフェニル基（すべての置換異性体を含む）、直鎖または分枝ヘプチルフェニル基（すべての置換異性体を含む）、直鎖または分枝オクチルフェニル基（すべての置換異性体を含む）、直鎖または分枝ノニルフェニル基（すべての置換異性体を含む）、直鎖または分枝デシルフェニル基（すべての置換異性体を含む）、直鎖または分枝ウンデシルフェニル基（すべての置換異性体を含む）、直鎖または分枝ドデシルフェニル基（すべての置換異性体を含む）などが挙げられる。
【００１４】
上記アリールアルキル基の好ましい例としては、ベンジル基、メチルベンジル基（すべての置換異性体を含む）、ジメチルベンジル基（すべての置換異性体を含む）、フェネチル基、メチルフェネチル基（すべての置換異性体を含む）及びジメチルフェネチル基（すべての置換異性体を含む）などが挙げられる。
【００１５】
炭素数１〜３０の炭化水素基は、炭素数１〜２４の直鎖状または分枝状のアルキル基、シクロアルキル基、あるいはアルキル置換シクロアルキル基であることが好ましく、更に好ましくは、炭素数１〜１２の直鎖状または分枝状のアルキル基であり、特に好ましくは、炭素数１〜８の直鎖状アルキル基であり、最も好ましくは、炭素数１〜６の直鎖状アルキル基である。
【００１６】
上記Ｒ２７、Ｒ２８、Ｒ２９、Ｒ３０、Ｒ３１、Ｒ３２、Ｒ３３及びＲ３４で表される炭素数１〜３０の炭化水素基の好ましい例は、前記で説明した炭素数１〜３０の炭化水素基の具体例とそれぞれ同じである。
【０００４】
複素環基としては、例えば、前記複素環化合物の具体例（骨格）を挙げることができる。
【００１７】
一般式（１３）で表される基について詳述する。
Ｙは、炭素数２〜６のアルキレン基である場合が好ましく、炭素数２〜４のアルキレン基である場合が更に好ましい。炭素数２〜４のアルキレン基としては、具体的には例えば、エチレン基、プロピレン基（１−メチルエチレン基、２−メチルエチレン基）、ブチレン基（１−エチルエチレン基、２−エチルエチレン基）、１，２−ジメチルエチレン基、１，１−ジメチルエチレン基及び２，２−ジメチルエチレン基が挙げられる。ｈが２以上の場合に複数のＹは、同一分子中で同じでも異なっていても良い。
【００１８】
（ＹＯ）は、アルキレンオキサイド由来の重合骨格を示す。アルキレンオキサイドとしては、具体的には例えば、エチレンオキサイド、プロピレンオキサイド、１，２−ブチレンオキサイド、２，３−ブチレンオキサイド及びイソブチレンオキサイドが挙げられる。これらのアルキレンオキサイドは、一種類の構成単位からなっていても、複数の構成単位からなる混合物からなっていてもよい。すなわち、アルキレンオキサイドの単独重合体でも、共重合体（ランダム重合体、ブロック重合体）でもよい。ｈは、好ましくは１〜１００の整数であり、更に好ましくは順に１〜５０の整数、１〜２０の整数であり、特に好ましくは１〜１０の整数であり、最も好ましくは１〜５の整数である。
【００１９】
Ｒ３５で表される炭素数１〜３０の炭化水素基の好ましい具体例としては、前記説明した例と同じである。
一般式（１３）で表される基において、Ｒ３５が水素原子である場合、炭素数１〜１２の直鎖状もしくは分枝状のアルキル基である場合、または炭素数６〜１８のアリール基もしくはアルキルアリール基である場合がより好ましく、水素原子である場合、炭素数１〜６の直鎖状もしくは分枝状のアルキル基である場合、フェニル基である場合または炭素数７〜１５の直鎖もしくは分枝アルキルアリール基である場合が特に好ましく、最も好ましくは水素原子である。
本発明の複素環化合物の置換基は、ヒドロキシル基、炭素数１〜３０の炭化水素基、―ＯＲ２７（Ｒ２７は置換基を有していてもよい炭素数１〜３０の炭化水素基を表し、特に好ましくは、ヒドロキシル基で置換された炭素数１〜３０の炭化水素基である）、又は一般式（１３）で表される基であることが好ましく、一般式（１３）で表される基であることが最も好ましい。
【００２０】
本発明の複素環化合物は、上記一般式（１３）で表される基で置換されたピロリドン構造を有する化合物であることが特に好ましい。
本発明の複素環化合物として最も好ましいものは、一般式（Ａ）で表される化合物である。
【００２１】
【化５】
0004537642.tif 000006
一般式（Ａ）におけるＹおよびＲ３５は、一般式（１３）におけるＹおよびＲ３５と同一の基を表し、ｈおよびｉは、一般式（１３）におけるｈおよびｉと同一の整数を表す。
上記一般式（Ａ）で表される複素環化合物は、下記の構成であることが好ましい。
Ｙが、炭素数２〜６のアルキレンであり、Ｒ３５が、水素原子、炭素数１〜１２の直鎖状もしくは分枝状のアルキル基、炭素数６〜１８のアリール基または炭素数６〜１８の直鎖もしくは分枝アルキルアリール基であり、ｈが１〜１００の整数であり、ｉが０又は１である。
上記一般式（Ａ）で表される複素環化合物は、下記の構成であることが更に好ましい。
Ｙが、炭素数２〜４のアルキレン基であり、Ｒ３５が水素原子、炭素数１〜６の直鎖状もしくは分枝状のアルキル基、フェニル基または炭素数７〜１５の直鎖もしくは分枝アルキルアリール基であり、ｈが１〜５０の整数であり、ｉが０又は１である。
【００２２】
一般式（Ａ）で表される複素環化合物は、下記の一般式（Ａ−１）で表される化合物であることが更に好ましい。
【化６】
0004537642.tif 000007
Ｙが、炭素数２〜４のアルキレン基であり、ｈが１〜２０の整数である。
上記一般式（Ａ−１）において、ｈが１〜１０の整数であることが特に好ましく、ｈが１〜５の整数であることが最も好ましい。
【００２３】
本発明の燃料油添加剤は、前記複素環化合物とポリエーテルアミン及び/又はポリアルケニルアミンと組合わせることによりその効果をより発現させることが可能である。
本発明でいうポリエーテルアミンとは、少なくとも１個の塩基性窒素及びエーテル結合を含む重合物のことである。
ポリエーテルアミンの重量平均分子量については、特に制限はないが、通常１００〜１５０００のものが用いられる。
また、重量平均分子量と数平均分子量との比（Ｍｗ／Ｍｎ）についても、特に制限はないが、通常１．０〜１．５のものが用いられる。
本発明のポリエーテルアミンは、塩基性窒素及びエーテル結合を有する重合物であるが、これら以外の極性基や結合基を分子中に有していても良い。具体的には例えば、アミド基、ウレタン基、エステル基、カーボネート基等の結合基やポリエーテル骨格の側鎖にグリシジル基等が含まれていても構わない。
【００２４】
本発明のポリエーテルアミンは、例えば下記一般式（１）で表される化合物であることが好ましい。
【化７】
0004537642.tif 000008
（一般式（１）において、Ｒ１は水素原子または炭素数１〜３０の炭化水素基を示し、Ｒ２、Ｒ３、Ｒ４およびＲ５はそれぞれ別個に水素原子、炭素数１〜１６の炭化水素基または下記一般式（２）で表される基を示し、Ｒ６は炭素数１〜１０のアルキレン基を示し、Ｚは下記Ａ群の中から選ばれる基を示し、Ｘは下記Ｂ群の中から選ばれる基を示し、ａは１〜２００の整数であり、ｂは０または１であり、ｃは０または１であり、ｄは１〜３の整数であり、ｅは０〜２の整数であり、そしてｄ＋ｅ＝３である。）
【００２５】
【化８】
0004537642.tif 000009
（一般式（２）において、Ｒ７およびＲ８はそれぞれ個別に水素原子、炭素数１〜１０の炭化水素基又は炭素数２〜１０のアルコキシアルキル基を示し、Ｒ９は炭素数２〜６のアルキレン基、あるいはアルコキシアルキル基を置換基として有する総炭素数４〜１０のアルキレン基を示し、Ｒ１０は水素原子または炭素数１〜３０の炭化水素基を示し、そしてｆは０〜５０の整数を示す。）
【００２６】
Ａ群
Ａ１：−Ｏ−ＣＯ−
Ａ２：−ＣＯ−
Ａ３：−Ｏ−ＣＯ−Ｒ１１−
Ａ４：−Ｏ−ＣＯ−Ｏ−Ｒ１２−
Ａ５：−ＣＯ−Ｏ−Ｒ１３−
（上記Ｒ１１、Ｒ１２、及びＲ１３はそれぞれ別個に炭素数1〜６のアルキレン基を示す）
【００２７】
Ｂ群
Ｂ１：水素原子
Ｂ２：炭素数１〜３０の炭化水素基
Ｂ３：下記一般式（３）で表されるアルカノール基
−Ｒ１４−ＯＨ                      （３）
（一般式（３）において、Ｒ１４は炭素数１〜６のアルキレン基を示す。）
Ｂ４：下記一般式（４）で表される含窒素基
【化９】
0004537642.tif 000010
（一般式（４）において、Ｒ１５は炭素数２〜６のアルキレン基を示し、Ｒ１６は水素原子、炭素数１〜４のアルキル基または上記一般式（３）で表される基を示し、Ｒ１７は水素原子、炭素数１〜３０の炭化水素基または上記一般式（３）で表される基を示し、そしてｇは１〜５の整数を示す。）
【００２８】
一般式（１）で表されるポリエーテルアミンについて詳述する。
上記Ｒ1は、水素原子であるか、あるいは炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基のいずれかであることが好ましい。
【００２９】
Ｒ1で表される好ましいアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、直鎖または分枝ヘキサデシル基、直鎖または分枝ヘプタデシル基、直鎖または分枝オクタデシル基、直鎖または分枝ノナデシル基、直鎖または分枝イコシル基、直鎖または分枝ヘンイコシル基、直鎖または分枝ドコシル基、直鎖または分枝トリコシル基及び直鎖または分枝テトラコシル基などが挙げられる。
【００３０】
Ｒ1で表される好ましいシクロアルキル基としては、例えば、シクロペンチル基、シクロヘキシル基、シクロヘプチル基などを挙げることができ、同じく好ましいアルキルシクロアルキル基としては、例えば、メチルシクロペンチル基、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基（すべての置換異性体を含む）、直鎖または分枝プロピルメチルシクロペンチル基（すべての置換異性体を含む）、直鎖または分枝プロピルエチルシクロペンチル基（すべての置換異性体を含む）、ジ−直鎖または分枝プロピルシクロペンチル基（すべての置換異性体を含む）、直鎖または分枝プロピルエチルメチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、直鎖または分枝プロピルエチルシクロヘキシル基（すべての置換異性体を含む）、ジ−直鎖または分枝プロピルシクロヘキシル基（すべての置換異性体を含む）、直鎖または分枝プロピルエチルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、トリメチルシクロヘプチル基（すべての置換異性体を含む）、ジエチルシクロヘプチル基（すべての置換異性体を含む）、エチルジメチルシクロヘプチル基（すべての置換異性体を含む）、直鎖または分枝プロピルメチルシクロヘプチル基（すべての置換異性体を含む）、直鎖または分枝プロピルエチルシクロヘプチル基（すべての置換異性体を含む）、ジ−直鎖または分枝プロピルシクロヘプチル基（すべての置換異性体を含む）、及び直鎖または分枝プロピルエチルメチルシクロヘプチル基（すべての置換異性体を含む）などが挙げられる。
【００３１】
Ｒ1で表される好ましいアルケニル基としては、例えば、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、直鎖または分枝デセニル基、直鎖または分枝ウンデセニル基、直鎖または分枝ドデセニル基、直鎖または分枝トリデセニル基、直鎖または分枝テトラデセニル基、直鎖または分枝ペンタデセニル基、直鎖または分枝ヘキサデセニル基、直鎖または分枝ヘプタデセニル基、オレイル基などの直鎖または分枝オクタデセニル基、直鎖または分枝ノナデセニル基、直鎖または分枝イコセニル基、直鎖または分枝ヘンイコセニル基、直鎖または分枝ドコセニル基、直鎖または分枝トリコセニル基、及び直鎖または分枝テトラコセニル基が挙げられる。なお、二重結合を二個有するブタジエニル基も好ましい例として挙げることができる。
【００３２】
Ｒ1で表される好ましいアリール基としては、例えば、フェニル基及びナフチル基などを挙げることができ、同じく好ましいアルキルアリール基としては、例えば、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基  （すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、テトラメチルフェニル基（すべての置換異性体を含む）、直鎖または分枝ペンチルフェニル基（すべての置換異性体を含む）、直鎖または分枝ヘキシルフェニル基（すべての置換異性体を含む）、直鎖または分枝ヘプチルフェニル基（すべての置換異性体を含む）、直鎖または分枝オクチルフェニル基（すべての置換異性体を含む）、直鎖または分枝ノニルフェニル基（すべての置換異性体を含む）、直鎖または分枝デシルフェニル基（すべての置換異性体を含む）、直鎖または分枝ウンデシルフェニル基（すべての置換異性体を含む）、直鎖又は分枝ドデシルフェニル基（すべての置換異性体を含む）などを挙げることができる。
【００３３】
Ｒ1で表される好ましいアリールアルキル基としては、例えば、ベンジル基、メチルベンジル基（すべての置換異性体を含む）、ジメチルベンジル基（すべての置換異性体を含む）、フェネチル基、メチルフェネチル基（すべての置換異性体を含む）、ジメチルフェネチル基（すべての置換異性体を含む）が挙げられる。
【００３４】
Ｒ1が水素原子である場合、炭素数１〜１２の直鎖状もしくは分枝状のアルキル基である場合、炭素数６〜１８のアリール基である場合またはアルキルアリール基である場合がより好ましく、水素原子、炭素数１〜６の直鎖状もしくは分枝状のアルキル基である場合、フェニル基である場合または炭素数７〜１５の直鎖もしくは分枝アルキルアリール基である場合が特に好ましく、水素原子である場合が最も好ましい。
【００３５】
上記Ｒ２、Ｒ３、Ｒ４およびＲ５は、それぞれ個別に水素原子、炭素数１〜１６の炭化水素基または一般式（２）で表される基を示す。
ここでいう炭素数１〜１６の炭化水素基には、例えば、炭素数１〜１６の直鎖状または分枝状のアルキル基、炭素数５〜１６のシクロアルキル基またはアルキルシクロアルキル基、炭素数２〜１６の直鎖状または分枝状のアルケニル基、炭素数６〜１６のアリール基またはアルキルアリール基、炭素数７〜１６のアリールアルキル基などが包含される。
【００３６】
好ましいアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、及び直鎖または分枝ヘキサデシル基などが挙げられる。
【００３７】
好ましいシクロアルキル基としては、例えば、シクロペンチル基、シクロヘキシル基及びシクロヘプチル基などが挙げられ、好ましいアルキルシクロアルキル基としては、例えば、メチルシクロペンチル基（すべての置換異性体を含む）、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基  （すべての置換異性体を含む）、直鎖または分枝プロピルメチルシクロペンチル基（すべての置換異性体を含む）、直鎖または分枝プロピルエチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、及びトリメチルシクロヘプチル基（すべての置換異性体を含む）などが挙げられる。
【００３８】
好ましいアルケニル基としては、例えば、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、直鎖または分枝デセニル基、直鎖または分枝ウンデセニル基、直鎖または分枝ドデセニル基、直鎖または分枝トリデセニル基、直鎖または分枝テトラデセニル基、直鎖または分枝ペンタデセニル基、及び直鎖または分枝ヘキサデセニル基などが挙げられる。なお、二重結合を二個有するブタジエニル基も好ましい例として挙げることができる。
【００３９】
好ましいアリール基としては、例えば、フェニル基及びナフチル基などが挙げられ、また好ましいアルキルアリール基としては、例えば、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基（すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、テトラメチルフェニル基（すべての置換異性体を含む）などが挙げられる。
【００４０】
好ましいアリールアルキル基としては、例えば、ベンジル基、メチルベンジル基（すべての置換異性体を含む）、ジメチルベンジル基（すべての置換異性体を含む）、フェネチル基、メチルフェネチル基（すべての置換異性体を含む）、及びジメチルフェネチル基（すべての置換異性体を含む）などが挙げられる。
【００４１】
Ｒ２、Ｒ３、Ｒ４およびＲ５で表される炭素数１〜１６の炭化水素基の中でも、炭素数１〜８の直鎖または分枝状のアルキル基であることが特に好ましく、炭素数１〜３の直鎖または分枝状のアルキル基であることが最も好ましい。
ただし、窒素原子を含有する極性基の極性が大きい場合には、炭素数８〜１６の炭化水素基を全分子中に１個ないし数個含有することが好ましい。
【００４２】
Ｒ２、Ｒ３、Ｒ４およびＲ５で表される一般式（２）について詳述する。
Ｒ７およびＲ８はそれぞれ個別に、水素原子、炭素数１〜１０の炭化水素基または炭素数２〜１０のアルコキシアルキル基を示す。
ここで炭素数１〜１０の炭化水素基には、炭素数１〜１０の直鎖状または分枝状のアルキル基、炭素数５〜１０のシクロアルキル基またはアルキルシクロアルキル基、炭素数２〜１０の直鎖状または分枝状のアルケニル基、炭素数６〜１０のアリール基またはアルキルアリール基、及び炭素数７〜１０のアリールアルキル基などが包含される。
【００４３】
好ましいアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、及び直鎖または分枝デシル基などが挙げられる。
【００４４】
好ましいシクロアルキル基としては、例えば、シクロペンチル基、シクロヘキシル基、シクロヘプチル基などが挙げられ、アルキルシクロアルキル基としては、メチルシクロペンチル基（すべての置換異性体を含む）、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基  （すべての置換異性体を含む）、直鎖または分枝プロピルメチルシクロペンチル基（すべての置換異性体を含む）、直鎖または分枝プロピルエチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）及びトリメチルシクロヘプチル基（すべての置換異性体を含む）などが挙げられる。
【００４５】
好ましいアルケニル基としては、例えば、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、及び直鎖または分枝デセニル基などが挙げられる。なお、二重結合を二個有するブタジエニル基も好ましい例として挙げることができる。
【００４６】
好ましいアリール基としては、例えば、フェニル基及びナフチル基などが挙げられ、また好ましいアルキルアリール基としては、例えば、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基（すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、及びテトラメチルフェニル基（すべての置換異性体を含む）などが挙げられる。
【００４７】
好ましいアリールアルキル基としては、例えば、ベンジル基、メチルベンジル基（すべての置換異性体を含む）、ジメチルベンジル基（すべての置換異性体を含む）、フェネチル基、メチルフェネチル基（すべての置換異性体を含む）、及びジメチルフェネチル基（すべての置換異性体を含む）などが挙げられる。
【００４８】
上記した炭素数２〜１０のアルコキシアルキル基としては、例えば、メトキシメチル基、エトキシメチル基、ｎ−プロポキシメチル基、イソプロポキシメチル基、ｎ−ブトキシメチル基、イソブトキシメチル基、ｓｅｃ−ブトキシメチル基、ｔｅｒｔ−ブトキシメチル基、ペントキシメチル基（すべての異性体を含む）、ヘキソキシメチル基（すべての異性体を含む）、ヘプトキシメチル基（すべての異性体を含む）、オクトキシメチル基（すべての異性体を含む）、ノニロキシメチル基（すべての異性体を含む）、メトキシエチル基（すべての異性体を含む）、エトキシエチル基（すべての異性体を含む）、プロポキシエチル基（すべての異性体を含む）、ブトキシエチル基（すべての異性体を含む）、ペントキシエチル基（すべての異性体を含む）、ヘキソキシエチル基（すべての異性体を含む）、ヘプトキシエチル基（すべての異性体を含む）、オクトキシエチル基（すべての異性体を含む）、メトキシプロピル基（すべての異性体を含む）、エトキシプロピル基（すべての異性体を含む）、プロポキシプロピル基（すべての異性体を含む）、ブトキシプロピル基（すべての異性体を含む）、ペントキシプロピル基（すべての異性体を含む）、ヘキソキシプロピル基（すべての異性体を含む）、ヘプトキシプロピル基（すべての異性体を含む）、メトキシブチル基（すべての異性体を含む）、エトキシブチル基（すべての異性体を含む）、プロポキシブチル基（すべての異性体を含む）、ブトキシブチル基（すべての異性体を含む）、ペントキシブチル基（すべての異性体を含む）、ヘキソキシブチル基（すべての異性体を含む）、メトキシペンチル基（すべての異性体を含む）、エトキシペンチル基（すべての異性体を含む）、プロポキシペンチル基（すべての異性体を含む）、ブトキシペンチル基（すべての異性体を含む）、ペントキシペンチル基（すべての異性体を含む）、メトキシヘキシル基（すべての異性体を含む）、エトキシヘキシル基（すべての異性体を含む）、プロポキシヘキシル基（すべての異性体を含む）、ブトキシヘキシル基（すべての異性体を含む）、メトキシヘプチル基（すべての異性体を含む）、エトキシヘプチル基（すべての異性体を含む）、プロポキシヘプチル基（すべての異性体を含む）、メトキシオクチル基  （すべての異性体を含む）、エトキシオクチル基（すべての異性体を含む）、及びメトキシノニル基（すべての異性体を含む）などが挙げられる。
【００４９】
一般式（２）におけるＲ７およびＲ８は共に、またはそれぞれ個別に水素原子、炭素数１〜６のアルキル基または炭素数２〜６のアルコキシアルキル基であることが好ましく、水素原子または炭素数１〜３のアルキル基であることが特に好ましい。
【００５０】
Ｒ９は炭素数２〜６のアルキレン基、またはアルコキシアルキル基を置換基として有する総炭素数４〜１０のアルキレン基を示す。ここでいう炭素数２〜６のアルキレン基としては、例えば、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、テトラメチレン基、ペンチレン基（１−ブチルエチレン基、２−ブチルエチレン基）、１−エチル−１−メチルエチレン基、１−エチル−２−メチルエチレン基、１，１，２−トリメチルエチレン基、１，２，２−トリメチルエチレン基、１−エチルトリメチレン基、２−エチルトリメチレン基、３−エチルトリメチレン基、１，１−ジメチルトリメチレン基、１，２−ジメチルトリメチレン基、１，３−ジメチルトリメチレン基、２，３−ジメチルトリメチレン基、３，３−ジメチルトリメチレン基、１−メチルテトラメチレン基、２−メチルテトラメチレン基、３−メチルテトラメチレン基、４−メチルテトラメチレン基、ペンタメチレン基、ヘキシレン基（１−ブチルエチレン基、２−ブチルエチレン基）、１−メチル−１−プロピルエチレン基、１−メチル−２−プロピルエチレン基、２−メチル−２−プロピルエチレン基、１，１−ジエチルエチレン基、１，２−ジエチルエチレン基、２，２−ジエチルエチレン基、１−エチル−１，２−ジメチルエチレン基、１−エチル−２，２−ジメチルエチレン基、２−エチル−１，１−ジメチルエチレン基、２−エチル−１，２−ジメチルエチレン基、１，１，２，２−テトラメチルエチレン基、１−プロピルトリメチレン基、２−プロピルトリメチレン基、３−プロピルトリメチレン基、１−エチル−１−メチルトリメチレン基、１−エチル−２−メチルトリメチレン基、１−エチル−３−メチルトリメチレン基、２−エチル−１−メチルトリメチレン基、２−エチル−２−メチルトリメチレン基、２−エチル−３−メチルトリメチレン基、３−エチル−１−メチルトリメチレン基、３−エチル−２−メチルトリメチレン基、３−エチル−３−メチルトリメチレン基、１，１，２−トリメチルトリメチレン基、１，１，３−トリメチルトリメチレン基、１，２，２−トリメチルトリメチレン基、１，２，３−トリメチルトリメチレン基、１，３，３−トリメチ  ルトリメチレン基、２，２，３−トリメチルトリメチレン基、２，３，３−トリメチルトリメチレン基、１−エチルテトラメチレン基、２−エチルテトラメチレン基、３−エチルテトラメチレン基、４−エチルテトラメチレン基、１，１−ジメチルテトラメチレン基、１，２−ジメチルテトラメチレン基、１，３−ジメチルテトラメチレン基、１，４−ジメチルテトラメチレン基、２，２−ジメチルテトラメチレン基、２，３−ジメチルテトラメチレン基、２，４−ジメチルテトラメチレン基、３，３−ジメチルテトラメチレン基、３，４−ジメチルテトラメチレン基、４，４−ジメチルテトラメチレン基、１−メチルペンタメチレン基、２−メチルペンタメチレン基、３−メチルペンタメチレン基、４−メチルペン���メチレン基、５−メチルペンタメチレン基及びヘキサメチレン基などが挙げられる。
【００５１】
Ｒ９のアルコキシアルキル基を置換基として含有する総炭素数４〜１０のアルキレン基は、総炭素数４〜８のアルコキシアルキル基置換エチレン基であることが好ましく、これらの例としては、１−（メトキシメチル）エチレン基、２−（メトキシメチル）エチレン基、１−（メトキシエチル）エチレン基、２−（メトキシエチル）エチレン基、１−（エトキシメチル）エチレン基、２−（エトキシメチル）エチレン基、１−メトキシメチル−２−メチルエチレン基、１，１−ビス（メトキシメチル）エチレン基、２，２−ビス（メトキシメチル）エチレン基、１，２−ビス（メトキシメチル）エチレン基、１，１−ビス（メトキシエチル）エチレン基、２，２−ビス（メトキシエチル）エチレン基、１，２−ビス（メトキシエチル）エチレン基、１，１−ビス（エトキシメチル）エチレン基、２，２−ビス（エトキシメチル）エチレン基、１，２−ビス（エトキシメチル）エチレン基、１−メチル−２−メトキシメチルエチレン基、１−メトキシメチル−２−メチルエチレン基、１−エチル−２−メトキシメチルエチレン基、１−メトキシメチル−２−エチルエチレン基、１−メチル−２−エトキシメチルエチレン基、１−エトキシメチル−２−メチルエチレン基、１−エチル−２−エトキシメチルエチレン基、１−エトキシメチル−２−エチルエチレン基、１−メチル−２−メトキシエチルエチレン基、１−メトキシエチル−２−メチルエチレン基、１−エチル−２−メトキシエチルエチレン基、及び１−メトキシエチル−２−エチルエチレン基を挙げられる。
一般式（２）のＲ９は、炭素数２〜４のアルキレン基であるか、あるいは総炭素数４〜６アルコキシアルキル基置換エチレン基であることが特に好ましい。
【００５２】
一般式（２）におけるＲ１０は、水素原子、またはＲ１について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、あるいは炭素数７〜１９のアリールアルキル基のいずれかであることが好ましい。Ｒ１０は炭素数１〜２４のアルキル基であることが更に好ましく、炭素数１〜１２のアルキル基であることが特に好ましい。
一般式（２）におけるｆは、好ましくは０〜３０、より好ましくは０〜２０の整数である。
【００５３】
従って、一般式（２）で表される基は、Ｒ７およびＲ８がそれぞれ個別に水素原子、炭素数１〜６のアルキル基または炭素数２〜６のアルコキシアルキル基であり、Ｒ９が炭素数２〜６のアルキレン基または総炭素数４〜８のアルコキシアルキル基置換エチレン基であり、Ｒ１０が炭素数１〜２４のアルキル基であり、かつｆが０〜３０の整数であるものが好ましい。以下、このような基(一般式（２）で表される基を指す)を、便宜上、「好ましい置換基群(２a)」と称する。更にＲ７およびＲ８がそれぞれ個別に水素原子または炭素数１〜３のアルキル基であり、Ｒ９が炭素数２〜４のアルキレン基であり、Ｒ１０が炭素数１〜１２のアルキル基であり、かつｆが０〜２０の整数であるものがより一層好ましい。以下、このような基(一般式（２）で表される基を指す)を、便宜上、「より好ましい置換基群(２b)」と称する。
【００５４】
一般式（１）で表されるポリエーテルアミンは、Ｒ２、Ｒ３、Ｒ４及びＲ５が、それぞれ別個に水素原子、炭素数１〜８のアルキル基または上記の「好ましい置換基群(２a)」であることが好ましく、さらに好ましくは、Ｒ２、Ｒ３、Ｒ４およびＲ５が、それぞれ別個に水素原子、炭素数１〜３のアルキル基または上記の「より好ましい置換基群(２b)」である。
【００５５】
一般式（１）におけるＲ６は、炭素数１〜１０のアルキレン基を示すが、好ましくは、炭素数１〜６のアルキレン基であり、さらに好ましくは炭素数１〜３のアルキレン基である。炭素数１〜１０のアルキレン基の好ましい具体例としては、メチレン基、エチレン基、１−メチルエチレン基、２−メチルエチレン基、トリメチレン基、１−メチルトリメチレン基、２−メチルトリメチレン基、３−メチルトリメチレン基、テトラメチレン基、１−メチルテトラメチレン基、２−メチルテトラメチレン基、３−メチルテトラメチレン基、４−メチルテトラメチレン基、ペンタメチレン基、１−メチルペンタメチレン基、２−メチルペンタメチレン基、３−メチルペンタメチレン基、４−メチルペンタメチレン基、５−メチルペンタメチレン基、及びヘキサメチレン基を挙げることができる。
【００５６】
一般式（１）におけるＺは、下記Ａ群の中から選ばれる基を示す。
Ａ群
Ａ１：−Ｏ−ＣＯ−
Ａ２：−ＣＯ−
Ａ３：−Ｏ−ＣＯ−Ｒ１１−
Ａ４：−Ｏ−ＣＯ−Ｏ−Ｒ１２−
Ａ５：−ＣＯ−Ｏ−Ｒ１３−
（上記Ｒ１１、Ｒ１２、Ｒ１３は各々別個に炭素数１〜６のアルキレン基を示す）
【００５７】
上記Ｒ１１、Ｒ１２、及びＲ１３で表される炭素数１〜６のアルキレン基としては、好ましくは上記Ｒ６の例を挙げることができる。これらの中でもＲ１１、Ｒ１２、及びＲ１３は、それぞれ別個に炭素数１〜４のアルキレン基であることが好ましく、好ましい具体例としては、メチレン基、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、及びテトラメチレン基を挙げることができる。さらに好ましいＲ１１、Ｒ１２、及びＲ１３は、それぞれ別個に炭素数１〜３のアルキレン基であり、好ましい具体例としては、メチレン基、エチレン基、プロピレン基（１−メチルエチレン基、２−メチルエチレン基）及びトリメチレン基を挙げることができる。
【００５８】
一般式（１）のＺは、Ａ１、Ａ２又はＡ４であることが好ましい。
本発明のポリエーテルアミンを表す一般式（１）において、ａは２〜１００の整数であることが好ましい。
また、一般式（１）においてｂおよびｃはそれぞれ個別に０または１である。
すなわち、ｂが０、ｃが０の場合は下記一般式（１４）で表される化合物を表し、ｂが０、ｃが１の場合は下記一般式（１５）で表される化合物を表し、ｂが１、ｃが０の場合は下記一般式（１６）で表される化合物を表し、ｂが１、ｃが１の場合は下記一般式（１７）で表される化合物を表す。
【化１０】
0004537642.tif 000011
（一般式（１４）におけるＲ１、Ｒ２、Ｒ３、Ｒ４、Ｒ５およびＸは、一般式（１）におけるＲ１、Ｒ２、Ｒ３、Ｒ４、Ｒ５およびＸと同一の基を示し、ａ、ｄおよびｅも一般式（１）におけるａ、ｄおよびｅと同一の整数である。）
【化１１】
0004537642.tif 000012
（一般式（１５）におけるＲ１、Ｒ２、Ｒ３、Ｒ４、Ｒ５、Ｘ、及びＺは、一般式（１）におけるＲ１、Ｒ２、Ｒ３、Ｒ４、Ｒ５、Ｘ、及びＺと同一の基を示し、ａ、ｄおよびｅも一般式（１）におけるａ、ｄおよびｅと同一の整数である。）
【化１２】
0004537642.tif 000013
（一般式（１６）におけるＲ１、Ｒ２、Ｒ３、Ｒ４、Ｒ５、Ｒ６およびＸは、一般式（１）におけるＲ１、Ｒ２、Ｒ３、Ｒ４、Ｒ５、Ｒ６およびＸと同一の基を示し、ａ、ｄおよびｅも一般式（１）におけるａ、ｄおよびｅと同一の整数である。）
【化１３】
0004537642.tif 000014
（一般式（１７）におけるＲ１、Ｒ２、Ｒ３、Ｒ４、Ｒ５、Ｒ６、Ｘ、及びＺは、一般式（１）におけるＲ１、Ｒ２、Ｒ３、Ｒ４、Ｒ５、Ｒ６、Ｘ、及びＺと同一の基を示し、ａ、ｄおよびｅも一般式（１）におけるａ、ｄおよびｅと同一の整数である。）
【００５９】
一般式（１）におけるｃは、０である場合が好ましい。
一般式（１）におけるｄは好ましくは１又は２、ｅは、好ましくは１又は２であって、かつｄ＋ｅは３であり、最も好ましくはｄ＝１かつｅ＝２である。
なお、一般式（１）で表されるポリエーテルアミンにおいて、ｄが２の場合は下記の一般式（１８）で表される基を１分子中に２個有するものであるが、この場合、それらの基は同一の構造であっても良く、また異なる構造であっても良い。
【化１４】
0004537642.tif 000015
（一般式（１８）におけるＲ１、Ｒ２、Ｒ３、Ｒ４、Ｒ５、Ｒ６およびＺは、一般式（１）におけるＲ１、Ｒ２、Ｒ３、Ｒ４、Ｒ５、Ｒ６およびＺと同一の基を示し、ａ、ｂおよびｃも、一般式（１）におけるａ、ｂおよびｃと同一の整数である。）
【００６０】
本発明のポリエーテルアミンを表す一般式（１）において、Ｘは下記のＢ群の中から選ばれる基を示す。
Ｂ群
Ｂ１：水素原子
Ｂ２：炭素数１〜３０の炭化水素基
Ｂ３：下記一般式（３）で表されるアルカノール基
−Ｒ１４−ＯＨ                      （３）
（一般式（３）において、Ｒ１４は炭素数１〜６のアルキレン基を示す。）
Ｂ４：下記一般式（４）で表される含窒素基
【化１５】
0004537642.tif 000016
（一般式（４）において、Ｒ１５は炭素数２〜６のアルキレン基を示し、Ｒ１６は水素原子、炭素数１〜４のアルキル基または上記一般式（３）で表される基を示し、Ｒ１７は水素原子、炭素数１〜３０の炭化水素基または上記一般式（３）で表される基を示し、そしてｇは１〜５の整数を示す。）
【００６１】
一般式（１）のＸについて詳述する。
上記Ｂ２の炭素数１〜３０の炭化水素基として好ましいものには、Ｒ1について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基などが包含される。
【００６２】
上記Ｂ２は、炭素数１〜１２の直鎖状もしくは分岐状のアルキル基、または炭素数６〜１２のアリール基もしくはアリールアルキル基であることがより好ましく、炭素数１〜６の直鎖状もしくは分岐状のアルキル基、フェニル基または炭素数７〜９のアリールアルキル基であることが特に好ましい。
【００６３】
上記Ｂ３のアルカノール基を表す一般式（３）において、Ｒ１４は炭素数１〜６のアルキレン基を示すが、このようなアルキレン基としては、具体的にはＲ１１、Ｒ１２、Ｒ１３として先に説明した基が挙げられる。これらの中でもＲ１４は、炭素数１〜４のアルキレン基が好ましく、具体的には、メチレン基、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、テトラメチレン基などが好ましい例として挙げることができる。Ｒ１４は、炭素数１〜３のアルキレン基、具体的にはメチレン基、エチレン基、プロピレン基（１−メチルエチレン基、２−メチルエチレン基）又はトリメチレン基であることが特に好ましい。
【００６４】
上記Ｂ４の含窒素基を表す一般式（４）において、Ｒ１５は、炭素数２〜６のアルキレン基を示すが、このようなアルキレン基としては、具体的にはＲ９として先に説明した基が挙げられる。これらの中でもＲ１５は、炭素数２〜４のアルキレン基が好ましく、具体的には、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、及びテトラメチレン基などが好ましい例として挙げることができる。更に好ましくは、炭素数２〜３のアルキレン基であり、具体的には、エチレン基、プロピレン基（１−メチルエチレン基、２−メチルエチレン基）及びトリメチレン基を挙げることができる。
【００６５】
一般式（４）におけるＲ１６は、水素原子、炭素数１〜４のアルキル基または上記一般式（３）で表される基を示す。炭素数１〜４のアルキル基としては、具体的には例えば、メチル基、エチル基、ｎ−プロピル基、イソプロピル基、ｎ−ブチル基、イソブチル基、ｓｅｃ−ブチル基及びｔｅｒｔ−ブチル基などが挙げられる。Ｒ１６は、好ましくは水素原子又は炭素数１〜３のアルキル基であり、水素原子、メチル基またはエチル基であることが特に好ましい。
【００６６】
一般式（４）におけるＲ１７は、水素原子、炭素数１〜３０の炭化水素基または上記一般式（３）で表される基を示す。ここでいう炭素数１〜３０の炭化水素基として好ましいものには、Ｒ1について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基などが包含される。
Ｒ１７は、水素原子、炭素数１〜１２の直鎖状もしくは分岐状のアルキル基、炭素数６〜１２のアリール基もしくはアリールアルキル基、または一般式（３）で表される基がより好ましく、特に好ましくは、水素原子、炭素数１〜６の直鎖状もしくは分岐状のアルキル基、フェニル基、炭素数７〜９のアリールアルキル基または一般式（３）で表される基である。
一般式（４）におけるｇは、１〜５の整数を示し、好ましくは１〜４の整数であり、より好ましくは１〜３の整数である。
即ち、一般式（４）で表される基に含まれる下記の一般式（１９）で表される基は、下記の一般式（２０）で表される構成単位を１〜５個、好ましくは１〜４個、より好ましくは１〜３個有している。
【化１６】
0004537642.tif 000017
（一般式（１９）および（２０）におけるＲ１５、Ｒ１６およびgは、一般式（４）におけるＲ１５、Ｒ１６およびgと同一の基、整数を示す。）
従って、一般式（１９）で表される基は、一般式（２０）で表される構成単位が下記のように結合にして得られた基を表す。
（１）一般式（１９）で表される１種の構成単位を結合させたもの
（２）一般式（２０）に含まれる２種以上の異なる構成単位を、ランダムに結合させたもの、交互に結合させたものまたはブロック結合させたもの
【００６７】
Ｂ４の一般式（４）で表される含窒素基は、Ｒ１５が炭素数２〜４のアルキレン基であり、Ｒ１６が水素原子、炭素数１〜３のアルキル基または一般式（３）で表される基であり、Ｒ１７が水素原子、炭素数１〜１２の直鎖状もしくは分岐状のアルキル基、炭素数６〜１２のアリール基もしくはアルキルアリール基または一般式（３）で表される基であり、かつｇが１〜４である場合が好ましく、Ｒ１５がエチレン基、プロピレン基（１−メチルエチレン基、２−メチルエチレン基）またはトリメチレン基であり、Ｒ１６が水素原子、メチル基、エチル基または一般式（３）で表される基であり、Ｒ１７が水素原子、炭素数１〜６の直鎖状もしくは分岐状のアルキル基、フェニル基、炭素数７〜９のアルキルアリール基または一般式（３）で表される基であり、かつｇが１〜３である場合が最も好ましい。
【００６８】
本発明のポリエーテルアミンを表す一般式（１）において、ＸはＢ１、Ｂ３またはＢ４であることが好ましい。なお、ｅ＝２の場合、すなわち、２個のＸが選ばれる場合、その二つは同種であっても異種であっても差し支えない。
【００６９】
以上、本発明のポリエーテルアミンを総括的に表す一般式（１）の置換基を個々に説明したが、本発明のポリエーテルアミンは、一般式（１）の置換基が下記の構成であることが好ましい。
Ｒ1が、水素原子、炭素数１〜１２の直鎖状もしくは分枝状のアルキル基、又は炭素数６〜１８のアリール基もしくはアルキルアリール基であり、
Ｒ２、Ｒ３、Ｒ４およびＲ５が、それぞれ別個に水素原子、炭素数１〜８のアルキル基または一般式（２）で表される基であり、
一般式（２）では、Ｒ７及びＲ８がそれぞれ個別に水素原子、炭素数１〜６のアルキル基または炭素数２〜６のアルコキシアルキル基であり、Ｒ９が炭素数１〜６のアルキレン基又は総炭素数４〜８のアルコキシアルキル基置換エチレン基であり、Ｒ１０が炭素数１〜２４のアルキル基であり、かつｆが０〜３０の整数であり、
Ｒ６が素数１〜６のアルキレン基であり、
ａが１〜２００の整数であり、ｂおよびｃが各々個別に０または１であり、ｄが１又は２であり、ｅが１又は２であって、かつｄ＋ｅ＝３であり、
ＺがＡ群の中から選ばれる基であり、
Ｒ１１、Ｒ１２、及びＲ１３がそれぞれ別個に炭素数１〜４のアルキレン基であり、
ＸがＢ群の中から選ばれる基であり、
Ｂ２は、炭素数１〜１２の直鎖状もしくは分枝状のアルキル基または炭素数６〜１２のアリール基もしくはアリールアルキル基であり、
Ｂ３の一般式（３）では、Ｒ１４が炭素数１〜４のアルキレン基であり、
Ｂ４の一般式（４）では、Ｒ１５が炭素数２〜４のアルキレン基であり、Ｒ１６が水素原子、炭素数１〜３のアルキル基または一般式（３）で表される基であり、Ｒ１７が水素原子、炭素数１〜１２の直鎖状または分岐状のアルキル基、炭素数６〜１２のアリール基もしくはアリールアルキル基、または一般式（３）で表される基であり、
そしてｇが１〜４の整数である。
【００７０】
本発明のポリエーテルアミンは、一般式（１）の置換基が下記の構成であることがさらに好ましい。
Ｒ1が、水素原子、炭素数１〜６のアルキル基、フェニル基または炭素数７〜１５のアルキルアリール基であり、
Ｒ２、Ｒ３、Ｒ４およびＲ５が、それぞれ別個に水素原子、炭素数１〜３のアルキル基または一般式（２）で表される基であり、
一般式（２）では、Ｒ７およびＲ８がそれぞれ個別に水素原子または炭素数１〜３のアルキル基であり、Ｒ９が炭素数２〜４のアルキレン基であり、Ｒ１０が炭素数１〜１２のアルキル基であり、かつｆが０〜２０の整数であり、
Ｒ６が炭素数１〜６のアルキレン基であり、
ａが２〜１００の整数であり、ｂおよびｃが各々個別に０または１であり、ｄが１、ｅが２であり、
ＺがＡ１、Ａ２及びＡ４の中から選ばれる基であり、
Ｒ１２が炭素数１〜３のアルキレン基であり、
ＸがＢ１、Ｂ３及びＢ４の中から選ばれる基であり、
Ｂ３の一般式（３）では、Ｒ１４が炭素数１〜３のアルキレン基であり、
Ｂ４の一般式（４）では、Ｒ１５が炭素数２〜３のアルキレン基であり、Ｒ１６が水素原子、メチル基、エチル基または一般式（３）で表される基であり、Ｒ１７が水素原子、炭素数１〜６の直鎖状または分岐状のアルキル基、フェニル基、炭素数７〜９のアリールアルキル基、または一般式（３）で表される基であり、
そしてｇが１〜３の整数である。
【００７１】
本発明のポリエーテルアミンは、一般式（１）の置換基が下記の構成であることが特に好ましい。
Ｒ１が水素原子であり、
Ｒ２、Ｒ３、Ｒ４およびＲ５が、それぞれ別個に水素原子または炭素数１〜２のアルキル基であり、
Ｒ６が炭素数１〜３のアルキレン基であり、
ＸがＢ１（水素原子）であり、
ａが２〜５０の整数であり、ｂが０又は１、ｃが０、ｄが１、そしてｅが２である。
上記ポリエーテルアミンは、下記一般式（１−１）で表される。
【化１７】
0004537642.tif 000018
（一般式（１−１）において、Ｒ２、Ｒ３、Ｒ４及びＲ５は、それぞれ個別に水素原子又は炭化数1〜２のアルキル基、Ｒ６は炭素数１〜３のアルキレン基を示し、ａは２〜５０の整数を示し、及びｂは０又は１を示す。）
【００７２】
本発明のポリエーテルアミンは、一般式（１）の置換基が下記の構成であることが最も好ましい。
Ｒ１が水素原子であり、
Ｒ２、Ｒ３、Ｒ４およびＲ５が、それぞれ別個に水素原子または炭素数１〜２のアルキル基であり、
ＸがＢ１（水素原子）であり、
ａが２〜５０の整数であり、ｂおよびｃが０であり、ｄが１、そしてｅが２である。
【００７３】
次に、ポリアルケニルアミンについて説明する。
本発明でいうポリアルケニルアミンとは、１種類以上のアルキレン化合物を重合させたポリアルキレン化合物の末端をアミンで修飾した化合物である。
本発明のポリアルケニルアミン系化合物を構成するポリアルキレン部分は、エチレン、プロピレン、ｎ−ブテン、２−ブテンおよびイソブテン、ペンテン（全ての異性体を含む）、ヘキセン（全ての異性体を含む）、ヘプテン（全ての異性体を含む）、オクテン（全ての異性体を含む）、デセン（全ての異性体を含む）、ドデセン（全ての異性体を含む）、テトラデセン（全ての異性体を含む）、及びヘキサデセン（全ての異性体を含む）の中から選ばれた１種のみを用いた単独重合体でもよく、２種以上を用いた共重合体であっても良い。共重合体は、ランダム共重合体、交互重合体、あるいはブロック共重合体であっても良い。
本発明においては、何れのアルキレンも使用可能であるが、より優れた清浄性を得ることができることから、ブテン（ｎ−ブテン、２−ブテンおよびイソブテン）を用いることが好ましい。
また、ポリアルケニルアミン系化合物を構成するアミン部分の窒素原子には、水素原子の他、炭化水素基、アルカノール基等の含酸素基、アミノアルキル基等の含窒素基などが結合していてもよい。
【００７４】
本発明のポリアルケニルアミン系化合物は、具体的には例えば、下記一般式（５）で表されるポリブテニルアミン化合物が挙げられる。
【化１８】
0004537642.tif 000019
（一般式（５）において、Ａは、ｎ−ブチル基、ｓｅｃ−ブチル基またはｔｅｒｔ−ブチル基を示し、Ｒ１８、Ｒ１９、Ｒ２０およびＲ２１はそれぞれ別個に、水素原子、メチル基またはエチル基を示し、かつＲ１８、Ｒ１９、Ｒ２０およびＲ２１の合計炭素数が２であり、Ｂは下記式（６）〜（１１）の何れかで表される基を示し、Ｒ２２およびＲ２３はそれぞれ別個に水素原子、炭素数１〜１０の炭化水素基、炭素数１〜８のアルカノール基または下記一般式（１２）で表される基を示し、そしてｍは１〜１００の整数を示す。）
【化１９】
0004537642.tif 000020
（一般式（１２）において、Ｒ２４は、炭素数２〜６のアルキレン基を示し、Ｒ２５は水素原子又は炭素数１〜４のアルキル基を示し、Ｒ２６は水素原子または炭素数１〜３０の炭化水素基を示し、そしてｎは１〜５の整数を示す。）
【００７５】
一般式（５）で表されるポリブテニルアミン化合物について詳述する。
Ａは、より優れた清浄性が得られることから、ｔｅｒｔ−ブチル基であることが好ましい。
また、より優れた清浄性が得られることから、Ｒ１８およびＲ２０が水素原子であり、かつＲ１９およびＲ２１がメチル基である場合、またはＲ１８およびＲ２０がメチル基であり、かつＲ１９およびＲ２１が水素原子である場合が好ましい。
【００７６】
なお、下記式（２１）で表される基は、下記式（２２）で表される基を構成単位とする、一般式（５）で表されるポリブテニルアミン系化合物の重合骨格を示す。
【化２０】
0004537642.tif 000021
（上記式（２１）および（２２）におけるＲ１８、Ｒ１９、Ｒ２０、Ｒ２１およびｍは、一般式（５）におけるＲ１８、Ｒ１９、Ｒ２０、Ｒ２１およびｍと同一の基、整数を示す。）
【００７７】
上記式（５）および（２１）において、上記式（２２）で表されるｍ個の基は同一分子中で同じでも異なっていてもよい。つまり、上記式（５）で表される化合物および上記式（２１）で表される基は、単独重合体であっても、共重合体であっても良い。共重合体は、ランダム共重合体であっても、交互重合体であっても、ブロック共重合体であっても良い。
【００７８】
Ｂは、より優れた清浄性が得られることから、式（６）または式（１０）で表される基であることが好ましく、式（１０）で表される基であることがより好ましい。
【００７９】
Ｒ２２及びＲ２３は、それぞれ別個に水素原子、炭素数１〜１０の炭化水素基、炭素数１〜８のアルカノール基または上記一般式（１２）で表される基を示す。
Ｒ２２およびＲ２３で表される炭素数１〜１０の炭化水素基としては、炭素数１〜１０の直鎖状または分枝状のアルキル基、炭素数５〜１０のシクロアルキル基またはアルキルシクロアルキル基、炭素数２〜１０の直鎖状または分枝状のアルケニル基、炭素数６〜１０のアリール基またはアルキルアリール基、炭素数７〜１０のアリールアルキル基が挙げられる。
【００８０】
炭素数１〜１０のアルキル基としては、具体的には例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、及び直鎖または分枝デシル基などが挙げられる。
【００８１】
炭素数５〜１０のシクロアルキル基またはアルキルシクロアルキル基としては、具体的には例えば、シクロペンチル基、シクロヘキシル基、シクロヘプチル基、メチルシクロペンチル基、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基（すべての置換異性体を含む）、直鎖または分枝プロピルメチルシクロペンチル基（すべての置換異性体を含む）、直鎖または分枝プロピルエチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、及びトリメチルシクロヘプチル基（すべての置換異性体を含む）などが挙げられる。
【００８２】
炭素数２〜１０のアルケニル基としては、具体的には例えば、エテニル基、ｎ−プロペニル基、イソプロペニル基、ｎ−ブテニル基、イソブテニル基、ｓｅｃ−ブテニル基、ｔｅｒｔ−ブテニル基、直鎖または分枝ペンテニル基、直鎖または分枝ヘキセニル基、直鎖または分枝ヘプテニル基、直鎖または分枝オクテニル基、直鎖または分枝ノネニル基、及び直鎖または分枝デセニル基などが挙げられる。
【００８３】
炭素数６〜１０のアリール基またはアルキルアリール基としては、例えば、フェニル基、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基  （すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、及びテトラメチルフェニル基（すべての置換異性体を含む）などが挙げられる。
【００８４】
炭素数７〜１０のアルキルアリール基としては、具体的には例えば、ベンジル基、メチルベンジル基（すべての置換異性体を含む）、ジメチルベンジル基（すべての置換異性体を含む）、フェネチル基、メチルフェネチル基（すべての置換異性体を含む）、及びジメチルフェネチル基（すべての置換異性体を含む）などが挙げられる。
【００８５】
Ｒ２２およびＲ２３で表される炭素数１〜８のアルカノール基としては、具体的には例えば、ヒドロキシメチル基、ヒドロキシエチル基、直鎖または分枝ヒドロキシプロピル基、直鎖または分枝ヒドロキシブチル基、直鎖または分枝ヒドロキシペンチル基、直鎖または分枝ヒドロキシヘキシル基、直鎖または分枝ヒドロキシヘプチル基、直鎖または分枝ヒドロキシオクチル基、直鎖または分枝ヒドロキシノニル基、及び直鎖または分枝ヒドロキシデシル基等が挙げられる。
【００８６】
一般式（１２）で表される基を説明する。
Ｒ２４で表される炭素数２〜６のアルキレン基は、前記一般式（４）のＲ１５で表される基と同じ基を挙げることができる。即ち、Ｒ２４は、Ｒ９として先に説明した基が挙げられ、好ましくは、炭素数２〜４のアルキレン基である。これらの具体的としては、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、及びテトラメチレン基などが好ましい例として挙げることができる。更に好ましくは、炭素数２〜３のアルキレン基であり、具体的には、エチレン基、プロピレン基（１−メチルエチレン基、２−メチルエチレン基）及びトリメチレン基を挙げることができる。
【００８７】
Ｒ２５で表される炭素数１〜４のアルキル基は、前記一般式（４）のＲ１６で表される炭素数１〜４のアルキル基と同じ基を挙げることができる。即ち、Ｒ２５で表される炭素数１〜４のアルキル基としては、具体的には例えば、メチル基、エチル基、ｎ−プロピル基、イソプロピル基、ｎ−ブチル基、イソブチル基、ｓｅｃ−ブチル基及びｔｅｒｔ−ブチル基などが挙げられる。Ｒ２５は、好ましくは水素原子又は炭素数１〜３のアルキル基であり、水素原子、メチル基またはエチル基であることが特に好ましい。
【００８８】
Ｒ２６で表される炭素数１〜３０の炭化水素基は、前記一般式（４）のＲ１７で表される炭素数１〜３０の炭化水素基と同じ基を挙げることができる。すなわち、Ｒ２６で表される炭素数１〜３０の炭化水素基として好ましいものには、Ｒ1について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基などが包含される。
Ｒ２６は、水素原子、炭素数１〜１２の直鎖状もしくは分岐状のアルキル基、又は炭素数６〜１２のアリール基もしくはアリールアルキル基がより好ましく、特に好ましくは、水素原子、炭素数１〜６の直鎖状もしくは分岐状のアルキル基、フェニル基、又は炭素数７〜９のアリールアルキル基である。
一般式（１２）におけるｎは、１〜５の整数を示し、好ましくは１〜４の整数であり、より好ましくは１〜３の整数である。
一般式（１２）で表される基は構成単位（―Ｒ２４Ｎ（Ｒ２５）−）が一種からなるものであってもよいし、あるいは二種以上からなるものであってもよい。そして二種以上の構成単位からなる場合には、それらの構成単位はランダム結合、交互結合、あるいはブロック結合のいずれの結合形態を採ることができる。
【００８９】
Ｒ２２およびＲ２３は、より優れた清浄性が得られることから、それぞれ別個に水素原子または一般式（１２）で表される基であることが好ましい。
【００９０】
一般式（５）において、ｍはガソリン中への分散性保持、清浄性保持の点から、１以上であることが必要であり、５以上であることが好ましく、１０以上であることがより好ましい。また粘度上昇によるバルブスティックや熱分解性悪化による燃焼室デポジットへの影響の点から、１００以下であることが必要であり、５０以下であることが好ましく、４０以下であることがより好ましい。
【００９１】
本発明の一般式（５）で表されるポリアルケニルアミンは、上記好ましい構成をまとめると下記一般式（５−１）で表される化合物である。
【化２１】
0004537642.tif 000022
（一般式（５−１）において、Ａはtert−ブチル基を示し、Ｒ１８及びＲ２０が共に水素原子かつＲ１９及びＲ２１が共にメチル基であるか、又はＲ１８及びＲ２０が共にメチル基かつＲ１９及びＲ２１が共に水素原子を示し、Ｂは、下記式（６）又は（１０）で表される基を示し、及びｍは１〜５０の整数を示す。）
【化２２】
0004537642.tif 000023
【００９２】
本発明のポリアルケニルアミン系化合物は、一般式（５）で表される１種のみの化合物を単独で用いてもよく、構造の異なる２種以上の化合物の混合物を用いてもよい。
また、本発明のポリアルケニルアミン系化合物の数平均分子量は何ら制限はないが、ガソリン中への分散性保持、清浄性保持の点から、２００以上であることが好ましく、４００以上であることがより好ましく、７００以上であることが特に好ましい。また、粘度上昇によるバルブスティックや熱分解性悪化による燃焼室デポジットへの影響の点から、６０００以下であることが好ましく、３０００以下であることがより好ましく、２４００以下であることが特に好ましい。
【００９３】
本発明の燃料油添加剤は、特にガソリンおよび軽油添加剤として非常に有用な化合物であり、ベースガソリンおよび必要に応じてその他のガソリン添加剤と混合して得られるガソリン組成物、ベース軽油および必要に応じてその他の軽油添加剤と混合して得られる軽油組成物として用いられる。
また、本発明の燃料油添加剤は、筒内直接噴射式ガソリンエンジン用ガソリン添加剤および筒内直接噴射式ディーゼルエンジン用軽油添加剤としても非常に有用な化合物であり、筒内直接噴射式ガソリンエンジン用ガソリン組成物、筒内直接噴射式ディーゼルエンジン用軽油組成物としても用いられる。
【００９４】
ガソリン及び軽油組成物中の本発明の燃料油添加剤の含有量（合計量）は特に限定されないが、通常はガソリンまたは軽油組成物全量基準で０．００１〜１０質量％の範囲である。
ガソリンエンジンにおける吸気系および燃焼室内の清浄性、ディーゼルエンジンにおける噴射ノズル清浄性、さらには筒内直接噴射式ガソリンエンジンにおける燃焼室内、特にキャビティ内の清浄性を向上させるためには、含有量の下限値が０．００１質量％、好ましくは０．００３質量％、より好ましくは０．００５質量％、特に好ましくは０．０１質量％、最も好ましくは０．０１５質量％である。
また、ガソリンや軽油の諸性能に悪影響を及ぼさない、それ以上添加しても効果の向上が期待できないなどの点から、含有量の上限値が１０質量％、好ましくは５質量％、より好ましくは４質量％、最も好ましくは３質量％である。
【００９５】
本発明の複素環化合物と組み合わせることにより更に高い清浄効果を発現するポリエーテルアミン及び/又はポリアルケニルアミンのガソリンおよび軽油組成物中の含有量（合計量）も、特に限定されないが、通常はガソリンまたは軽油組成物全量基準で、０．００１〜１０質量％の範囲である。
ガソリンエンジンにおける吸気系および燃焼室内の清浄性、ディーゼルエンジンにおける噴射ノズル清浄性、さらには筒内直接噴射式ガソリンエンジンにおける燃焼室内、特にキャビティ内の清浄性を向上させるためには、含有量の下限値が０．００１質量％、好ましくは０．００３質量％、より好ましくは０．００５質量％、特に好ましくは０．０１質量％、最も好ましくは０．０１５質量％である。
また、ガソリンや軽油の諸性能に悪影響を及ぼさない、それ以上添加しても効果の向上が期待できないなどの点から、含有量の上限値が１０質量％、好ましくは５質量％、より好ましくは４質量％、最も好ましくは３質量％である。
【００９６】
なお、本発明の複素環状化合物とポリエーテルアミン及び/又はポリアルケニルアミンとの混合比は任意である。
【００９７】
まず、本発明の添加剤を含むガソリン組成物について説明する。
ベースガソリンは、従来周知の任意の方法で製造することができる。ガソリン基材としては、具体的には例えば、任意の性状を有する、原油を常圧蒸留して得られる軽質ナフサ；接触分解法、水素化分解法等で得られる分解ガソリン；接触改質法で得られる改質ガソリン；オレフィンの重合によって得られる重合ガソリン；イソブタン等の炭化水素に低級オレフィンを付加（アルキル化）することによって得られるアルキレート；軽質ナフサを異性化装置でイソパラフィンに転化して得られる異性化ガソリン；脱ｎ−パラフィン油；ブタン；芳香族炭化水素化合物；及びプロピレンを二量化し、続いてこれを水素化して得られるパラフィン留分等が挙げられる。
【００９８】
無鉛ガソリンの典型的な配合例を下記に示す。
（１）改質ガソリン：０〜７０容量％
（２）改質ガソリンの軽質留分（沸点範囲：２５〜１２０℃程度）：０〜３５容量％
（３）改質ガソリンの重質留分（沸点範囲：１１０℃〜２００℃程度）：０〜４５容量％
（４）分解ガソリン：０〜５０容量％
（５）分解ガソリンの軽質留分（沸点範囲：２５〜９０℃程度）：０〜４５容量％
（６）分解ガソリンの重質留分（沸点範囲：９０〜２００℃程度）：０〜４０容量％
（７）アルキレート：０〜４０容量％
（８）プロピレンを二量化し、続いてこれを水素化して得られるパラフィン留分：０〜３０容量％
（９）異性化ガソリン：０〜３０容量％
（１０）ＭＴＢＥ：０〜１５容量％
（１１）軽質ナフサ：０〜２０容量％
（１２）ブタン：０〜１０容量％
【００９９】
また、ベースガソリンを製造するにあたっては、ベンゼンの含有量を低減させる必要がある場合がある。その際のベンゼンの低減方法は特に限定されず任意であるが、特にベンゼンは改質ガソリン中に多く含まれていることから、改質ガソリンの配合割合を少なくすること、及び下記の方法で改質ガソリン中のベンゼン濃度を低下させる処理を行なった改質ガソリンを用いることが好ましい。
（１）改質ガソリンを蒸留してベンゼン留分を除去する、
（２）改質ガソリン中のベンゼンをスルホラン等の溶剤を用いて抽出する、
（３）改質ガソリン中のベンゼンを他の化合物に転化する、
（Ａ）ベンゼンを水素化しシクロヘキサン、メチルシクロペンタン等に転化する、
（Ｂ）ベンゼン及び炭素数９以上の芳香族炭化水素化合物とを反応させ、トルエン、キシレン、エチルベンゼン等に転化する、
（Ｃ）ベンゼンを低級オレフィン（エチレン、プロピレン等）又は低級アルコール（メタノール、エタノール等）を用いてアルキル化する、
（４）接触改質装置の原料として、炭素数６の炭化水素化合物を蒸留して除去した脱硫重質ナフサを用いる、
（５）接触改質装置の運転条件を変更する。
【０１００】
本発明の添加剤を含むガソリン組成物においては、本発明の添加剤以外の添加剤を併用することができる。
その他（本発明の添加剤以外）のガソリン添加剤としては、具体的には例えば、コハク酸イミド、ポリエーテル等の清浄分散剤；フェノール系、アミン系等の酸化防止剤；シッフ型化合物やチオアミド型化合物等の金属不活性化剤；有機リン系化合物等の表面着火防止剤；多価アルコール及びそのエーテル等の氷結防止剤；有機酸のアルカリ金属塩又はアルカリ土類金属塩、高級アルコール硫酸エステル等の助燃剤；アニオン系界面活性剤、カチオン系界面活性剤、両性界面活性剤等の帯電防止剤；アゾ染料等の着色剤；アルケニルコハク酸エステル等のさび止め剤；キリザニン、クマリン等の識別剤；及び天然精油合成香料等の着臭剤等が挙げられる。これらの添加剤は、１種又は２種以上を添加することができ、その合計添加量はガソリン組成物全量基準で０．１質量％以下とすることが好ましい。
【０１０１】
また、ベースガソリン、本発明の添加剤及び必要に応じてその他のガソリン添加剤からなるガソリン組成物の性状、組成については、特に制限されない。しかしながら、ＪＩＳ  Ｋ  ２２５４「石油製品−蒸留試験方法」によって測定される蒸留性状は、下記の通りであることが望ましい。
蒸留初留点                 ：２０〜４５℃
１０容量％留出温度（Ｔ１０）：３５〜５５℃
３０容量％留出温度（Ｔ３０）：５５〜７５℃
５０容量％留出温度（Ｔ５０）：７５〜１００℃
７０容量％留出温度（Ｔ７０）：１００〜１３０℃
９０容量％留出温度（Ｔ９０）：１１０〜１６０℃
蒸留終点                   ：１３０〜２１０℃
【０１０２】
初留点の下限値は好ましくは２０℃、より好ましくは２５℃である。２０℃に満たない場合には高温条件下で始動性が悪化する可能性がある。一方、初留点の上限値は好ましくは４５℃、より好ましくは４０℃、さらにより好ましくは３５℃である。４５℃を超える場合には低温始動性に不具合を生じる可能性がある。
Ｔ１０の下限値は好ましくは３５℃、より好ましくは４０℃である。３５℃に満たない場合には高温条件下で始動性が悪化する可能性がある。一方、Ｔ１０の上限値は好ましくは５５℃、より好ましくは５０℃、さらにより好ましくは４８℃である。５５℃を超える場合には低温始動性に不具合を生じる可能性がある。
Ｔ３０の下限値は好ましくは５５℃、より好ましくは６０℃である。５５℃に満たない場合には高温運転性に不具合を生じたりインジェクタ内でガソリンのコーキングを生じたりする可能性がある。一方、Ｔ３０の上限値は好ましくは７５℃、より好ましくは７０℃、さらにより好ましくは６８℃である。７５℃を超える場合には低温運転性に不具合を生じる可能性がある。
Ｔ５０の下限値は好ましくは７５℃、より好ましくは８０℃である。７５℃に満たない場合には高温運転性に不具合を生じる可能性がある。一方、Ｔ５０の上限値は好ましくは１００℃、より好ましくは９５℃、更により好ましくは９３℃である。１００℃を超える場合には低温及び常温運転性に不具合を生じる可能性がある。
Ｔ７０の下限値は１００℃であることが好ましい。一方、Ｔ７０の上限値は好ましくは１３０℃、より好ましくは１２５℃、更により好ましくは１２３℃、最も好ましくは１２０℃である。１３０℃を越える場合には低温及び常温運転性に不具合を生じる可能性がある。
Ｔ９０の下限値は好ましくは１１０℃、より好ましくは１２０℃である。１１０℃に満たない場合は燃費が低下する可能性がある。一方、Ｔ９０の上限値は、低温及び常温運転性の悪化、排出ガスの増加、エンジンオイルの劣化およびスラッジの発生を抑制することができるなどの点から、好ましくは１６０℃、より好ましくは１５０℃、更により好ましくは１４０℃である。
蒸留終点の下限値は１３０℃であることが好ましい。一方、蒸留終点の上限値は、好ましくは２１０℃、より好ましくは２００℃、更により好ましくは１９５℃、最も好ましくは１９０℃である。終点が２１０℃を越える場合には常温運転性に不具合を生じる可能性がある。
【０１０３】
また、上記ガソリン組成物の蒸気圧には特に制限はないが、インジェクタ内でのガソリンコーキングの不具合が生じることがなく、またエバポエミッションの量が抑えられることから、蒸気圧は７０ｋＰａ以下が好ましく、より好ましくは６５ｋＰａ以下、さらにより好ましくは６０ｋＰａ以下、最も好ましくは５５ｋＰａ以下である。ここで蒸気圧とは、ＪＩＳ  Ｋ  ２２５８「原油及び燃料油蒸気圧試験方法（リ−ド法）」により測定される蒸気圧（リード蒸気圧（ＲＶＰ）を意味する。
上記ガソリン組成物の密度（１５℃）には特に制限はないが、０．７３〜０．７７ｇ／ｃｍ３であることが望ましい。密度の下限値は燃費の点からより好ましくは０．７３５ｇ／ｃｍ３である。一方、密度の上限値は加速性及びプラグのくすぶりの観点からより好ましくは０．７６ｇ／ｃｍ３である。ここで密度とは、ＪＩＳ  Ｋ  ２２４９「原油及び石油製品の密度試験方法並びに密度・質量・容量換算表」により測定される密度を意味する。
上記ガソリン組成物は、四エチル鉛等のアルキル鉛化合物を実質的に含有しないガソリンであり、たとえ極微量の鉛化合物を含有する場合であっても、その含有量はＪＩＳ  Ｋ  ２２５５「ガソリン中の鉛分試験方法」の適用区分下限値以下である。
【０１０４】
上記ガソリン組成物のオクタン価には特に制限はないが、よりアンチノッキング性を高めるため、リサーチ法オクタン価（ＲＯＮ）は８９以上であることが好ましく、より好ましくは９０以上、さらにより好ましくは９０．５以上、最も好ましくは９１以上である。また、より高速走行中のアンチノック性を高めるために、モーター法オクタン価（ＭＯＮ）は８０以上であることが好ましく、より好ましくは８０．５以上、最も好ましくは８１以上である。ここでリサーチ法オクタン価及びモーター法オクタン価とは、それぞれ、ＪＩＳ  Ｋ  ２２８０「オクタン価及びセタン価試験方法」により測定されるリサーチ法オクタン価及びモーター法オクタン価をそれぞれ意味する。
【０１０５】
上記ガソリン組成物において、飽和分、オレフィン分及び芳香族分の各含有量については特に制限はないが、下記の割合であることが望ましい。
飽和分（Ｖ（Ｐ））      ：５０〜１００容量％
オレフィン分（Ｖ（Ｏ））：０〜１５容量％
芳香族分（Ｖ（Ａｒ））  ：０〜３５容量％
Ｖ（Ｐ）は、インジェクタ内でのガソリンのコーキング防止、及びプラグのくすぶりを低減させる、排出ガスのオゾン生成能を低く抑える、排出ガス中のベンゼン濃度を低減させる、すすを発生させない等の観点から、その値は、より好ましくは６０〜１００容量％、さらにより好ましくは７０〜１００容量％であり、最も好ましくは７５〜１００質量％である。
また、Ｖ（Ｏ）は、インジェクタ内でのガソリンのコーキング防止の観点からより好ましくは０〜１０容量％、さらにより好ましくは０〜７容量％、最も好ましくは０〜５容量％である。
さらに、Ｖ（Ａｒ）は、プラグのくすぶりを低減させる、排出ガスのオゾン生成能を低く抑える、排出ガス中のベンゼン濃度を低減させる、すすを発生させない等の観点からより好ましくは０〜３０容量％、さらにより好ましくは０〜２５容量％、最も好ましくは０〜２０容量％である。
上記のＶ（Ｐ）、Ｖ（Ｏ）及びＶ（Ａｒ）は、全てＪＩＳ  Ｋ  ２５３６「石油製品−炭化水素タイプ試験方法」の蛍光指示薬吸着法により測定される値である。
【０１０６】
また、上記ガソリン組成物の各成分の含有量には特に制限はないが、以下のような条件を満たすことが望ましい。
(1) Ｖ（Ｂｚ）：０〜１容量％
(2) Ｖ（Ｔｏｌ）：０〜３０容量％
(3) Ｖ（Ｃ８Ａ）：０〜２０容量％
(4) Ｖ（Ｃ９Ａ）：０〜５容量％
(5) Ｖ（Ｃ１０＋Ａ）：０〜３容量％
(6) Ｖ（ＰＡ）＝０
又は
Ｖ（ＰＡ）≠０の際にＶ（ＭＡ）／Ｖ（ＰＡ）：１以上
(7) Ｖ（Ｃ４）：０〜１０容量％
(8) Ｖ（Ｃ５）：１０〜３５容量％
(9) Ｖ（Ｃ６）：１０〜３０容量％
(10)Ｖ（Ｃ７＋ｐ）：１０〜５０容量％
(11)Ｖ（Ｃ９＋）：０〜１０容量％
上記のＶ（Ｂｚ）は、ガソリン組成物全量基準のベンゼン含有量を示し、上記の範囲とすることで、排出ガス中のベンゼン濃度を低く抑えることができる。その値は、好ましくは、０〜１容量％であり、より好ましくは０〜０．５容量％である。
上記のＶ（Ｔｏｌ）及びＶ（Ｃ８Ａ）は、それぞれガソリン組成物全量基準 のトルエン含有量及び炭素数８の芳香族炭化水素化合物含有量を示し、Ｖ（Ｔｏｌ）の値は、好ましくは０〜３０容量％であり、より好ましくは０〜２０容量％、Ｖ（Ｃ８Ａ）の値は、好ましくは０〜２０容量％であり、より好ましくは０〜１５容量％である。なお、炭素数８の芳香族炭化水素化合物としては、エチルベンゼン及びキシレン（全ての置換異性体を含む）等が挙げられる。
上記のＶ（Ｃ９Ａ）は、ガソリン組成物全量基準の炭素数９の芳香族炭化水素化合物含有量を示し、排出ガスのオゾン生成能を低く抑えるために、その値は、好ましくは０〜５容量％であり、より好ましくは０〜３容量％である。炭素数９の芳香族炭化水素としては、例えば、ｎ−プロピルベンゼン、イソプロピルベンゼン（クメン）、エチルメチルベンゼン（全ての置換異性体を含む）及びトリメチルベンゼン（全ての置換異性体を含む）等が挙げられる。
【０１０７】
上記のＶ（Ｃ１０＋Ａ）は、ガソリン組成物全量基準の炭素数１０以上の芳香族炭化水素化合物含有量を示し、排出ガスのオゾン生成能を低く抑えるために、その量が好ましくは０〜３容量％であり、より好ましくは０〜１容量％、最も好ましくは０容量％である。炭素数１０以上の芳香族炭化水素化合物としては、例えば、ジエチルベンゼン（全ての置換異性体を含む）、ジメチルエチルベンゼン（全ての置換異性体を含む）、テトラメチルベンゼン（全ての置換異性体を含む）及びｎ−ブチルメチルベンゼン（全ての置換異性体を含む）等が挙げられる。
上記のＶ（ＭＡ）及びＶ（ＰＡ）は、それぞれガソリン組成物全量を基準としたモノアルキル置換芳香族炭化水素化合物含有量（容量％）及び２つ以上のアルキル基で置換された芳香族炭化水素化合物含有量（容量％）を示すが、本発明ではＶ（ＰＡ）が０であるか、又はＶ（ＰＡ）が０でない場合は、前者の含有量と後者の含有量の比、Ｖ（ＭＡ）／Ｖ（ＰＡ）の値は、好ましくは１以上、より好ましくは１．５以上、更により好ましくは２以上に維持されることである。
なお、上記したＶ（Ｂｚ）、Ｖ（Ｔｏｌ）、Ｖ（Ｃ８Ａ）、Ｖ（Ｃ９Ａ）、Ｖ （Ｃ１０＋Ａ）、Ｖ（ＭＡ）及びＶ（ＰＡ）は、いずれもＪＩＳ  Ｋ  ２５３６ 「石油製品−炭化水素タイプ試験方法」のガスクロマトグラフ法で定量して得られる値である。
上記のＶ（Ｃ４）は、ガソリン組成物全量を基準とした炭素数４の炭化水素化合物含有量を示す。エバポエミッションの量をより低く抑えられる点から、Ｖ（Ｃ４）の値は好ましくは０〜１０容量％であり、より好ましくは０〜５容量％、更により好ましくは０〜３容量％である。炭素数４の炭化水素化合物としては、例えば、ｎ−ブタン、２−メチルブタン（イソブタン）、１−ブテン、２−ブテン及び２−メチルプロペン等が挙げられる。
上記のＶ（Ｃ５）は、ガソリン全量を基準とした炭素数５の脂肪族炭化水素化合物含有量を示し、その下限値は好ましくは１０容量％、より好ましくは１５容量％、上限値は好ましくは３５容量％、より好ましくは３０容量％である。炭素数５の脂肪族炭化水素化合物の含有量を１０容量％以上にすることで、常温運転性により優れたガソリン組成物が得られる。また、これを３５容量％以下にすることで高温運転性により優れたガソリン組成物が得られる。そして、インジェクタ内でのガソリンのコーキング防止の観点から、炭素数５の脂肪族炭化水素化合物の中の不飽和炭化水素化合物の含有量（Ｖ（Ｃ５ｏ））（容量％）は０であるか、あるいは炭素数５の脂肪族炭化水素化合物の中の飽和炭化水素化合物の含有量（Ｖ（Ｃ５ｐ））（容量％）とＶ（Ｃ５ｏ）との比、すなわち、Ｖ（Ｃ５ｐ）／Ｖ（Ｃ５ｏ）の値は好ましくは１以上、より好ましくは１．５以上、さらにより好ましくは２以上、最も好ましくは３以上である。炭素数５の飽和脂肪族炭化水素化合物としては、例えば、ｎ−ペンタン、２−メチルブタン（イソペンタン）、２，２−ジメチルプロパン（ネオペンタン）等が挙げられ、同じく不飽和脂肪族炭化水素化合物としては、１−ペンテン、２−ペンテン、２−メチル−１−ブテン、２−メチル−２−ブテン及び３−メチル−１−ブテン等が挙げられる。
【０１０８】
上記のＶ（Ｃ６）は、ガソリン組成物全量を基準とした炭素数６の脂肪族炭化水素化合物の含有量を示し、その下限値は好ましくは１０容量％、より好ましくは１５容量％であり、上限値は好ましくは３０容量％であり、より好ましくは２５容量％である。炭素数６の脂肪族炭化水素化合物の含有量を１０容量％以上にすることで、常温運転性により優れたガソリン組成物が得られる。またこれを３０容量％以下にすることで高温運転性により優れたガソリン組成物が得られる。そして、インジェクタ内でのガソリンのコーキング防止の観点から、炭素数６の脂肪族炭化水素化合物の中の飽和炭化水素化合物の含有量（Ｖ（Ｃ６ｏ））（容量％）が０であるか、或るいは炭素数６の脂肪族炭化水素化合物の中の飽和炭化水素化合物の含有量（Ｖ（Ｃ６ｐ））（容量％）とＶ（Ｃ６ｏ）との比、すなわち、Ｖ（Ｃ６ｐ）／Ｖ（Ｃ６ｏ）の値は好ましくは２以上、より好ましくは３以上、さらにより好ましくは５以上、最も好ましくは１０以上である。炭素数６の飽和脂肪族炭化水素化合物としては、例えば、ｎ−ヘキサン、２−メチルペンタン、３−メチルペンタン、２，２−ジメチルブタン、２，３−ジメチルブタン等が挙げられ、同じく不飽和脂肪族炭化水素化合物としては、例えば、１−ヘキセン、２−ヘキセン、３−ヘキセン、２−メチル−１−ペンテン、３−メチル−１−ペンテン、４−メチル−１−ペンテン、２−メチル−２−ペンテン、３−メチル−２−ペンテン、４−メチル−２−ペンテン、２，３−ジメチル−１−ブテン、３，３−ジメチル−１−ブテン及び２，３−ジメチル−２−ブテン等が挙げられる。
【０１０９】
上記のＶ（Ｃ７＋ｐ）は、ガソリン組成物全量を基準とした炭素数７以上の飽和脂肪族炭化水素化合物の含有量を示し、その下限値は好ましくは１０容量％であり、より好ましくは２０容量％である。上限値は好ましくは５０容量％であり、より好ましくは４５容量％である。炭素数７以上の飽和脂肪族炭化水素化合物の含有量を１０容量％以上にすることで、常温運転性により優れたガソリン組成物が得られ、これを５０容量％以下にすることで高温運転性により優れたガソリン組成物が得られる。炭素数７以上の飽和脂肪族炭化水素化合物としては、例えば、ｎ−ヘプタン、２−メチルヘキサン、３−メチルヘキサン、２，２−ジメチルペンタン、２，３−ジメチルペンタン、２，４−ジメチルペンタン、３，３−ジメチルペンタン、３−エチルペンタン及び２，２，３−トリメチルブタン等が挙げられる。
上記Ｖ（Ｃ９＋）は、ガソリン組成物全量を基準とした炭素数９以上の炭化水素化合物の含有量を示し、低温及び常温運転性の点から、またエンジンオイルのガソリン希釈を低減させ、排出ガスの増加、エンジンオイルの劣化及びスラッジ発生を防止できること等から、この値が好ましくは０〜１０容量％であり、より好ましくは０〜５容量％であり、さらにより好ましくは０容量％である。
なお、上記したＶ（Ｃ４）、Ｖ（Ｃ５）、Ｖ（Ｃ５ｐ）、Ｖ（Ｃ５ｏ）、Ｖ（Ｃ６）、Ｖ（Ｃ６ｐ）、Ｖ（Ｃ６ｏ）、Ｖ（Ｃ７＋ｐ）及びＶ（Ｃ９＋）は、以下に示すガスクロマトグラフィー法により定量される値を意味する。すなわち、カラムにはメチルシリコンのキャピラリーカラム、キャリアガスにはヘリウム又は窒素を、検出器には水素イオン化検出器（ＦＩＤ）を用い、カラム長２５〜５０ｍ、キャリアガス流量０．５〜１．５ｍＬ／分、分割比１：５０〜１：２５０、注入口温度１５０〜２５０℃、初期カラム温度−１０〜１０℃、終期カラム温度１５０〜２５０℃、及び検出器温度１５０〜２５０℃の条件で測定した値である。
【０１１０】
上記ガソリン組成物において含酸素化合物の含有量は特に制限はないが、ガソリン組成物全量基準で酸素元素換算で好ましくは０〜２．７質量％、より好ましくは０〜２．０質量％である。含有量が２．７質量％を越える場合は、ガソリン組成物の燃費が悪化し、また排出ガス中のＮＯｘが増加する可能性がある。ここで含酸素化合物とは、炭素数２〜４のアルコール類、炭素数４〜８のエーテル類等を意味する。本発明に係るガソリン組成物に配合可能な含酸素化合物としては、例えば、エタノール、メチルターシャリーブチルエーテル（ＭＴＢＥ）、エチルターシャリーブチルエーテル、ターシャリーアミルメチルエーテル（ＴＡＭＥ）及びターシャリーアミルエチルエーテル等が挙げられ、これらの中でもＭＴＢＥ及びＴＡＭＥが好ましく、最も好ましくはＭＴＢＥである。なお、メタノールは排出ガス中のアルデヒド濃度が高くなる可能性があり、腐食性もあるので好ましくない。
上記ガソリン組成物において硫黄分含有量は特に制限はないが、ガソリン組成物全量基準で、好ましく５０ｐｐｍ以下、より好ましくは３０ｐｐｍ以下、さらにより好ましくは２０ｐｐｍ以下、最も好ましくは１０ｐｐｍ以下である。硫黄分含有量が５０ｐｐｍを越える場合、排出ガス処理触媒の性能に悪影響を及ぼし、排出ガス中のＮＯｘ、ＣＯ、ＨＣの濃度が高くなる可能性があり、またベンゼンの排出量も増加する可能性がある。ここで硫黄分とは、ＪＩＳ  Ｋ  ２５４１「原油及び石油製品−硫黄分試験方法」により測定される硫黄分を意味する。
【０１１１】
上記ガソリン組成物は、ＪＩＳ  Ｋ  ２２６１「石油製品−自動車ガソリン及び航空燃料油−実在ガム試験方法−噴射蒸発法」により測定した未洗実在ガムの含有量が、一般に２０ｍｇ／１００ｍＬ以下であって、洗浄実在ガムの含有量が一般に３ｍｇ／１００ｍＬ以下であり、好ましくは１ｍｇ／１００ｍＬ以下である。未洗実在ガム及び洗浄実在ガムが上記の値を超えた場合は、燃料導入系統において析出物が生成したり、吸入弁が膠着する心配がある。
上記ガソリン組成物の、ＪＩＳ  Ｋ  ２２７９「原油及び石油製品−発熱量試験方法及び計算による推定方法」により測定した総発熱量は、一般に４００００Ｊ／ｇ以上、好ましくは４５０００Ｊ／ｇ以上である。
上記ガソリン組成物の、ＪＩＳ  Ｋ  ２２８７「ガソリン酸化安定度試験方法（誘導期間法）」によって測定した酸化安定度は、一般に４８０分以上、好ましくは１４４０分以上である。酸化安定度が４８０分に満たない場合は、貯蔵中にガムが生成する可能性がある。
上記ガソリン組成物は、銅板腐食（５０℃、３ｈ）が一般に１、好ましくは１ａである。銅板腐食が１を越える場合は、燃料系統の導管が腐食する可能性がある。ここで銅板腐食とは、ＪＩＳ  Ｋ  ２５１３「石油製品−銅板腐食試験方法」（試験温度５０℃、試験時間３時間）に準拠して測定されるものである。
さらに、上記ガソリン組成物は、灯油混入量は４容量％以下であることが望ましい。ここで、灯油混入量とはガソリン組成物全量基準での炭素数１３〜１４の炭化水素含有量（容量％）を表し、この量は以下に示すガスクロマトグラフィー法により定量して得られるものである。すなわち、カラムにはメチルシリコンのキャピラリーカラム、キャリアガスにはヘリウム又は窒素を、検出器には水素イオン化検出器（ＦＩＤ）を用い、カラム長２５〜５０ｍ、キャリアガス流量０．５〜１．５ｍＬ／分、分割比１：５０〜１：２５０、注入口温度１５０〜２５０℃、初期カラム温度−１０〜１０℃、終期カラム温度１５０〜２５０℃、検出器温度１５０〜２５０℃の条件で測定した値である。
【０１１２】
次に、本発明の添加剤を含む軽油組成物について説明する。
ベース軽油は、任意の方法で製造することができる。軽油基材としては、具体的には例えば、原油の常圧蒸留装置から得られる直留軽油；常圧蒸留装置から得られる直留重質油や残査油を減圧蒸留装置にかけて得られる減圧軽油；減圧蒸留装置から得られる減圧軽油を水素化精製して得られる水素化精製軽油；直留軽油を通常の水素化精製より苛酷な条件で一段階又は多段階で水素化脱硫して得られる水素化脱硫軽油；脱硫又は未脱硫の減圧軽油、減圧重質軽油あるいは脱硫重油を接触分解して得られる接触分解軽油；原油の常圧蒸留により得られる直留灯油；直留灯油を水素化精製して得られる水素化精製灯油；及び原油の常圧蒸留によって得られる軽油留分を分解して得られる分解灯油等が挙げられ、これらの1種もしくは２種以上が使用可能である。
【０１１３】
また、本発明の添加剤を含む軽油組成物においては、本発明の添加剤以外の添加剤を併用することができる。
本発明の添加剤以外の軽油添加剤としては、まず潤滑性向上剤及びセタン価向上剤等が挙げられる。
潤滑性向上剤としては、例えば、カルボン酸系、エステル系、アルコール系及びフェノール系の各潤滑性向上剤の１種又は２種以上が任意に使用可能である。この中でも、カルボン酸系及びエステル系の潤滑性向上剤が好ましい。
カルボン酸系の潤滑性向上剤としては、例えば、リノ−ル酸、オレイン酸、サリチル酸、パルミチン酸、ミリスチン酸、ヘキサデセン酸及び上記カルボン酸の２種以上の混合物等が挙げられる。
エステル系の潤滑性向上剤としては、グリセリンのカルボン酸エステル等が挙げられる。カルボン酸エステルを構成するカルボン酸は、１種であっても２種以上であってもよく、その具体例としては、リノ−ル酸、オレイン酸、サリチル酸、パルミチン酸、ミリスチン酸及びヘキサデセン酸等が挙げられる。
潤滑性向上剤の含有量には特に制限はない。しかし、潤滑性向上剤の効能を引き出すためには、具体的には、分配型噴射ポンプを搭載したディーゼルエンジンにおいて、運転中のポンプの駆動トルク増を抑制し、ポンプの摩耗を低減させるためには、潤滑性向上剤の配合量は、組成物全量基準で３５質量ｐｐｍ以上であることが好ましく、５０質量ｐｐｍ以上であることがより好ましい。そして、配合量の上限値はそれ以上加えても添加量に見合う効果が得られないことから、１５０質量ｐｐｍ以下であることが好ましく、１００質量ｐｐｍ以下であることがより好ましい。
なお、潤滑性向上剤と称して市販されている商品は、それぞれ潤滑性向上に寄与する有効成分が適当な溶剤で希釈された状態で入手されるのが通例である。こうした市販品を本発明の添加剤を含む軽油組成物に配合した場合にあっては、潤滑性向上剤に関して上述した配合量は、有効成分としての配合量を意味する。
【０１１４】
セタン価向上剤としては、当業界でセタン価向上剤として知られる各種の化合物を任意に使用することができ、例えば、硝酸エステルや有機過酸化物等が使用可能である。しかし、本発明では、セタン価向上剤として硝酸エステルを用いることが好ましい。硝酸エステルには、例えば、２−クロロエチルナイトレート、２−エトキシエチルナイトレート、イソプロピルナイトレート、ブチルナイトレート、第一アミルナイトレート、第二アミルナイトレート、イソアミルナイトレート、第一ヘキシルナイトレート、第二ヘキシルナイトレート、ｎ−ヘプチルナイトレート、ｎ−オクチルナイトレート、２−エチルヘキシルナイトレート、シクロヘキシルナイトレート及びエチレングリコールジナイトレート等の種々のナイトレート等が包含される。これらの中でも、炭素数６〜８のアルキルナイトレートであることが好ましい。セタン価向上剤は、上記の化合物のうちの１種の化合物を単独で用いても良く、２種以上の化合物を組み合わせて用いても良い。
本発明の添加剤を含む軽油組成物におけるセタン価向上剤の含有量は、ディーゼルエンジン排出ガスのＮＯｘ濃度、ＰＭ濃度、アルデヒド濃度等をより低減させるために、組成物全量基準で５００質量ｐｐｍ以上であることが好ましく、６００質量ｐｐｍ以上であることがより好ましく、７００質量ｐｐｍ以上であることがさらにより好ましく、８００質量ｐｐｍ以上であることがさらにより一層好ましく、９００質量ｐｐｍ以上であることが最も好ましい。一方、セタン価向上剤の含有量の上限値は特には限定されないが、セタン価向上剤の含有量は軽油組成物全量基準で、１４００質量ｐｐｍ以下であることが好ましく、１２５０質量ｐｐｍ以下であることがより好ましく、１１００質量ｐｐｍ以下であることがさらにより好ましく、１０００質量ｐｐｍ以下であることが最も好ましい。
なお、セタン価向上剤と称して市販されている商品は、セタン価向上に寄与する有効成分、つまり、セタン価向上剤を適当な溶剤で希釈した状態で入手されるのが通例である。こうした市販品を使用して本発明の添加剤を含む軽油組成物を調製する場合には、上記セタン価向上剤の含有量は軽油組成物中の前記有効成分の含有量を表す。
【０１１５】
また、本発明の添加剤を含む軽油組成物においては、本発明の添加剤以外の清浄剤を併用することも可能である。
本発明の添加剤以外の清浄剤としては、例えば、ポリエーテル；ポリアルキレンオキサイド；イミド系化合物；ポリブテニルコハク酸無水物とエチレンポリアミン類とから合成されるポリブテニルコハク酸イミド等のアルケニルコハク酸イミド；ペンタエリスリトール等の多価アルコールとポリブテニルコハク酸無水物から合成されるポリブテニルコハク酸エステル等のコハク酸エステル；ジアルキルアミノエチルメタクリレート、ポリエチレングリコールメタクリレート、ビニルピロリドン等とアルキルメタクリレートとのコポリマー等の共重合系ポリマー、カルボン酸とアミンの反応生成物等の無灰清浄剤等が挙げられる。これらの中でも、アルケニルコハク酸イミド及びカルボン酸とアミンとの反応生成物の使用が好ましい。
アルケニルコハク酸イミドを使用する例としては、分子量１０００〜３０００程度のアルケニルコハク酸イミドを単独使用する場合と、分子量７００〜２０００程度のアルケニルコハク酸イミドと分子量１００００〜２００００程度のアルケニルコハク酸イミドを混合使用する場合等がある。
カルボン酸とアミンとの反応生成物を構成するカルボン酸は１種であっても２種以上であってもよく、その具体例としては、炭素数１２〜２４の脂肪酸及び炭素数７〜２４の芳香族カルボン酸等が挙げられる。炭素数１２〜２４の脂肪酸としては、リノール酸、オレイン酸、パルミチン酸及びミリスチン酸等が挙げられるが、これらに限定されるものではない。また、炭素数７〜２４の芳香族カルボン酸としては、例えば、安息香酸及びサリチル酸等が挙げられるが、これらに限定されるものではない。また、カルボン酸とアミンとの反応生成物を構成するアミンは、１種であっても２種以上であっても良い。ここで用いられるアミンとしては、オレイルアミンが代表的であるが、これに限定されるものではなく、各種アミンが使用可能である。
【０１１６】
本発明の添加剤以外の清浄剤の配合量にも特に制限はない。しかし、本発明以外の清浄剤と本発明の添加剤とを配合した効果、具体的には、燃料噴射ノズルの閉塞抑制効果を引き出すためには、本発明以外の清浄剤の配合量を組成物全量基準で３０質量ｐｐｍ以上とすることが好ましく、６０質量ｐｐｍ以上とすることがより好ましく、８０質量ｐｐｍ以上とすることがさらにより好ましい。３０質量ｐｐｍに満たない量を添加しても効果が現れない可能性がある。一方、配合量が多すぎても、それに見合う効果が期待できず、逆にディーゼルエンジン排出ガス中のＮＯｘ、ＰＭ、アルデヒド等を増加させる恐れがあることから、清浄剤の配合量は３００質量ｐｐｍ以下であることが好ましく、１８０質量ｐｐｍ以下であることがより好ましい。
なお、先のセタン価向上剤の場合と同様、清浄剤と称して市販されている商品は、それぞれ清浄に寄与する有効成分が適当な溶剤で希釈された状態で入手されるのが通例である。こうした市販品を本発明の添加剤を含む軽油組成物に配合した場合にあっては、その他の清浄剤に関して上述した配合量は、有効成分としての配合量を意味する。
【０１１７】
さらに、本発明の添加剤を含む軽油組成物には、他の性能をさらに高める目的でその他の公知の燃料油添加剤を単独で、又は数種類組み合わせて添加することもできる。これらの添加剤としては、例えば、エチレン−酢酸ビニル共重合体、アルケニルコハク酸アミド等の低温流動性向上剤；フェノール系、アミン系等の酸化防止剤；サリチリデン誘導体等の金属不活性化剤；ポリグリコールエーテル等の氷結防止剤；脂肪族アミン、アルケニルコハク酸エステル等の腐食防止剤；アニオン系、カチオン系、両性系界面活性剤等の帯電防止剤；アゾ染料等の着色剤；及びシリコン系等の消泡剤等が挙げられる。
上記の添加剤の添加量は特に限定されず任意に決めることができるが、添加剤個々の添加量は、軽油組成物全量基準でそれぞれ０．５質量％以下が好ましく、より好ましくは０．２質量％以下である。
【０１１８】
また、ベース軽油、複素環化合物からなる本発明の添加剤及びその他の軽油添加剤からなる軽油組成物の性状、組成については、特に制限されない。しかしながら、蒸留性状について下記の性状を満たしていることが望ましい。
初留点                     ：１３５〜２００℃
１０容量％留出温度（Ｔ１０）：１５５〜２３０℃
３０容量％留出温度（Ｔ３０）：１７５〜２６０℃
５０容量％留出温度（Ｔ５０）：１９０〜３００℃
７０容量％留出温度（Ｔ７０）：２２０〜３３０℃
９０容量％留出温度（Ｔ９０）：２５０〜３５０℃
９５容量％留出温度（Ｔ９５）：２７０〜３６０℃
蒸留終点                   ：３３０〜３７０℃
【０１１９】
軽油組成物の初留点が低すぎる場合には、一部の軽質留分が気化して噴霧範囲が広がりすぎ、未燃分として排ガスに同伴される炭化水素量が増加する恐れがあることから、初留点は好ましくは１３５℃以上、より好ましくは１４０℃以上、さらにより好ましくは１４５℃以上である。一方、初留点が高すぎる場合は、低温始動性及び低温運転性に不具合を生じる可能性があるため、初留点は２００℃以下であることが望ましい。
軽油組成物のＴ１０が低すぎる場合は、初留点が低すぎる場合と同様な理由から、排ガスに同伴される炭化水素量の増大が懸念されるため、Ｔ１０は好ましくは１５５℃以上、より好ましくは１６５℃以上である。一方、これが高すぎると、低温始動性及び低温運転性に不具合を生じる心配があるため、Ｔ１０は２３０℃以下であることが望ましい。
軽油組成物のＴ３０が低すぎる場合は、上に述べたと同じ理由から、排ガスに同伴される炭化水素量の増大が懸念される。従って、Ｔ３０は好ましくは１７５℃以上、より好ましくは１８０℃以上、更により好ましくは１８５℃以上である。一方、これが高すぎる場合は、低温始動性及び低温運転性に不具合を生じる可能性がある点から、２６０℃以下であることが望ましい。
軽油組成物のＴ５０は、燃費及びエンジン出力の面から、好ましくは１９０℃以上、より好ましくは１９５℃以上、更により好ましくは２００℃以上である。そして、排出ガス中の粒子状物質（ＰＭ）濃度を増加させないためにＴ５０は３００℃以下であることが好ましい。
軽油組成物のＴ７０もＴ５０と同様、燃費とエンジン出力を左右する。燃費をより向上させ、エンジンの出力をより高めるために、Ｔ７０は好ましくは２２０℃以上、より好ましくは２２５℃以上、更により好ましくは２３０℃以上である。そして低温運転性の点及び排出ガス中のＰＭ濃度を増加させないためにＴ７０は３３０℃以下であることが望ましい。
【０１２０】
軽油組成物のＴ９０は、燃料噴射ポンプにおける潤滑性の点から、好ましくは２５０℃以上、より好ましくは２７０℃以上である。そして、低温運転性の点から及び排出ガス中のＰＭ濃度を増加させないために３５０℃以下であることが望ましい。
軽油組成物のＴ９５は、燃料噴射ポンプにおける潤滑性の点から、２７０℃以上であることが好ましく、低温運転性の点から及び排出ガス中のＰＭ濃度を増加させないためには、Ｔ９５は３６０℃以下であることが好ましい。
軽油組成物の蒸留終点は、燃料噴射ポンプにおける潤滑性の点から、３３０℃以上であることが好ましい。しかし、低温運転性の点から及び排出ガス中のＰＭ濃度を増加させないためには、蒸留終点は３７０℃以下であることが好ましい。ここで蒸留性状（初留点、Ｔ１０、Ｔ３０、Ｔ５０、Ｔ７０、Ｔ９０、Ｔ９５、蒸留終点）は、全てＪＩＳ  Ｋ  ２２５４「石油製品−蒸留試験方法」によって測定される値を意味する。
【０１２１】
また、軽油組成物の硫黄分についても特に制限はないが、排出ガスの後処理装置の耐久性やエンジン内部の腐食を抑える点から、硫黄分０．０５質量％以下であることが好ましく、０．０３５質量％以下であることがより好ましく、０．０２質量％以下であることがさらにより好ましく、０．０１質量％以下であることがさらにより一層好ましく、０．００５質量％以下であることが最も好ましい。ここで硫黄分とはＪＩＳ  Ｋ  ２５４１「硫黄分試験方法」により測定される硫黄分の含有量を意味する。
軽油組成物のセタン指数、セタン価には特に制限はない。しかし、排出ガス中のＮＯｘ、ＰＭ、アルデヒドの各濃度をより低減させるために、セタン指数は４５以上であることが好ましく、４８以上であることがより好ましく、５０以上であることがさらにより好ましい。セタン価は４５以上であることが好ましく、４８以上であることがより好ましく、５０以上であることがさらにより好ましい。ここでセタン指数とは、ＪＩＳ  Ｋ  ２２８０「石油製品−燃料油−オクタン価及びセタン価試験方法並びにセタン指数算出方法」の「８．４変数方程式を用いたセタン指数の算出方法」によって算出した価を意味する。またセタン価とは、ＪＩＳ  Ｋ  ２２８０「石油製品−燃料油−オクタン価及びセタン価試験方法並びにセタン指数算出方法」の「７．セタン価試験方法」に準拠して測定されるセタン価を意味する。
【０１２２】
本発明の添加剤を含む軽油組成物の動粘度は特に制限はない。しかし、燃料噴射時期の制御及びエンジンに付設された分配型燃料噴射ポンプの潤滑性の点から、３０℃における動粘度は１．７ｍｍ２／秒以上であることが好ましく、１．９ｍｍ２／秒以上であることがより好ましく、２．０ｍｍ２／秒以上であることがさらにより好ましい。また、排出ガス中のＰＭ濃度を増加させないためにも、また低温での始動性に及ぼす影響を小さくさせるためにも、３０℃における動粘度６．０ｍｍ２／秒以下であることが好ましく、５．０ｍｍ２／秒以下であることがより好ましく、４．５ｍｍ２／秒以下であることがさらにより好ましい。ここで動粘度とはＪＩＳ  Ｋ  ２２８３「原油及び石油製品−動粘度試験方法及び粘度指数算出方法」により測定される動粘度を指す。
本発明の添加剤を含む軽油組成物の１５℃における密度については特に制限はない。しかし、燃料消費率及び加速性をより向上させるために、その値は８００ｋｇ／ｍ３以上であることが好ましい。一方、１５℃における密度は、排出ガス中のＰＭ濃度をより低下させるために、８６０ｋｇ／ｍ３以下であることが好ましく、８５０ｋｇ／ｍ３以下であることがより好ましい。ここで密度とはＪＩＳ  Ｋ  ２２４９「原油及び石油製品の密度試験方法並びに密度・質量・容量換算表」により測定される密度を意味する。
【０１２３】
本発明の添加剤を含む軽油組成物において、飽和分、オレフィン分及び芳香族分の各含有量は特に制限はないが、下記の割合であることが望ましい。
飽和分含有量      ：６０〜９５容量％
オレフィン分含有量：０〜５容量％
芳香族分含有量    ：５〜４０容量％
軽油組成物の飽和分含有量は、排出ガス中のＮＯｘ及びＰＭの各濃度を低下させる上で、６０容量％以上であることが好ましく、より好ましくは７０容量％以上であり、更により好ましくは７５容量％以上である。一方、低温始動性及び低温運転性を良好に維持する上で、飽和分含有量は、９５容量％以下であることが好ましく、より好ましくは９０容量％以下であり、さらにより好ましくは８０容量％以下である。
軽油組成物のオレフィン分含有量は、当該組成物の安定性の観点から、０〜５容量％の範囲であることが好ましく、より好ましくは０〜３容量％の範囲、さらにより好ましくは０〜１容量％の範囲である。
軽油組成物の芳香族分含有量は、燃料消費率及びエンジン出力に関係するので、好ましくは５容量％以上、より好ましくは１０容量％以上、更により好ましくは２０容量％以上、最も好ましくは２５容量％以上である。一方、この芳香族分含有量は、排出ガスに含まれるＮＯｘ及びＰＭの各濃度に関係することから、この含有量は好ましくは４０容量％以下、より好ましくは３５容量％以下、更により好ましくは３０容量％以下である。ここで飽和分含有量、オレフィン分含有量及び芳香族分含有量は、ＪＩＳ  Ｋ  ２５３６に規定する「石油製品−成分試験方法」の蛍光指示薬吸着法に準拠して測定される飽和分、オレフィン分及び芳香族分の容量百分率（容量％）を意味する。
【０１２４】
本発明の添加剤を含む軽油組成物は、その流動点（ＰＰ）について特に制限されない。しかし、低温始動性ないしは低温運転性の観点から、組成物のＰＰは０℃以下であることが好ましく、より好ましくは−５℃以下、さらにより好ましくは−１０℃以下である。ここでＰＰとは、ＪＩＳ  Ｋ  ２２６９「原油及び石油製品の流動点並びに石油製品曇り点試験方法」により測定される流動点を意味する。
本発明の添加剤を含む軽油組成物は、その目詰まり点（ＣＦＰＰ）については特に制限はない。しかし、組成物のＣＦＰＰは０℃以下であることが好ましく、−５℃以下であることがより好ましく、−１０℃以下であることがさらにより好ましく、−２０℃以下であることが最も好ましい。ここでＣＦＰＰとはＪＩＳ  Ｋ  ２２８８「軽油−目詰まり点試験方法」により測定される目詰まり点を意味する。
また、本発明の添加剤を含む軽油組成物は、その曇り点（ＣＰ）について特に制限されない。しかし、曇り点は０℃以下であることが好ましい。ここで曇り点とは、ＪＩＳ  Ｋ  ２２６９「原油及び石油製品の流動点並びに石油製品曇り点試験方法」により測定される曇り点を意味する。
【０１２５】
【実施例】
以下に本発明の実施例を説明するが、これらの実施例は本発明を限定するものではない。
（１）試験サンプルの調製
任意の方法で調製、入手した複素環化合物（化合物１〜１１）を用いたサンプル、及びこれらの複素環化合物と、任意の方法で調製、入手したポリエーテルアミン（化合物１２及び１３）あるいはポリアルケニルアミン（化合物１４）とを１：１の重量比で配合したサンプルを調製した。調製したサンプル例を表１に示す。
【０１２６】
【化２３】
0004537642.tif 000024
【化２４】
0004537642.tif 000025
【０１２７】
【表１】
0004537642.tif 000026
【０１２８】
（２）基材ガソリンの調製
接触改質ガソリン６０容量部、接触分解ガソリン３０容量部及びアルキレート１０容量部を混合して下記の性状を有する基材ガソリン（内燃機関用ガソリン）を調製した。
基材ガソリン性状
リード蒸気圧：６３．７ｋＰａ(０．６５ｋｇｆ/ｃｍ２)
比        重：０．７２７
沸点範囲    ：３０〜１９０℃
オクタン価  ：９８．１
【０１２９】
[実施例１〜３]、[比較例３〜９]及び[参考例１〜１２]  
上記基材ガソリンと試験サンプル（サンプル１〜２２）とを混合して（基材ガソリン９９．９６質量％/試験サンプル０．０４質量％）表２に示す燃料油組成物（ガソリン組成物）を調製した。
【０１３０】
[比較例１〜２]
上記基材ガソリンと、下記の添加剤１）又は２）とをそれぞれ混合して（基材ガソリン９９．９６質量％/添加剤０．０４質量％）表２に示す比較用のガソリン組成物を調製した。
１）ポリブテニルアミン系清浄剤1
活性成分：ポリブテニルジエチレントリアミン（数平均分子量約３０００）
２）ポリブテニルアミン系清浄剤２
活性成分：ポリブテニルテトラエチレンペンタミン（数平均分子量約３５００）
【０１３１】
（３）ガソリン組成物の評価
上記の各ガソリン組成物に対して以下に示すエンジン評価試験を行った。評価は、添加剤を添加しない基材ガソリンのみを使用した場合（基材ガソリン１００質量％）の評価を基準に行った。その評価結果を表２に示す。
【０１３２】
［エンジン評価試験］
（１）吸気系デポジット清浄性評価試験
総排気量２０００ｍｌの燃料インジェクター式エンジンを装備した乗用車を使用し、以下に示す１サイクル１時間の走行モードを２００時間繰り返した後、エンジンを分解して吸気弁に付着したデポジット量を測定し、基材ガソリンのみを用いた場合のデポジット量との変化量（差）を吸気系デポジット清浄性の評価とした。なお、評価に使用したエンジンは、各試験前に分解し、燃焼室内、吸気系内のデポジットを完全に除去した後、重量を測定した新品の吸気バルブ、排気バルブ、点火プラグを装着、組み付け、新品のエンジンオイルを充填してから試験を行った。
【０１３３】
走行モード
アイドリング                                      ：  １分
エンジン回転数１５００rpm 、
吸気負圧―２６６ｋＰａ（−２００mmHg）：３０分
エンジン回転数２７００rpm 、
吸気負圧―３９９ｋＰａ（−３００mmHg）：２０分
エンジン停止                                      ：  ９分
【０１３４】
（２）燃焼室デポジット清浄性評価試験
総排気量２０００ｍｌの燃料噴射式エンジンを装備した乗用車を使用し、燃料として実施例の燃料油組成物を用いて、エンジン回転数１５００rpm 、吸気負圧−１９９．５ｋＰａ（−１５０mmHg）、冷却水温５０℃の運転条件で９６時間運転した。試験終了後エンジンを分解して燃焼室内デポジットの量を測定し、基材ガソリンのみを用いた場合の燃焼室内デポジットの量との変化量（差）を求めた。なお、評価に使用したエンジンは、各試験前に分解し、燃焼室内、吸気系内のデポジットを完全に除去した後、重量を測定した新品の吸気バルブ、排気バルブ、点火プラグを装着、組み付け、新品のエンジンオイルを充填してから試験を行った。
【０１３５】
【表２】
0004537642.tif 000027
【０１３６】
表２のエンジン評価試験結果からも明らかなとおり、本発明のガソリン組成物（実施例１〜３）は、いずれも吸気系デポジット清浄性及び燃焼室デポジット清浄性に極めて優れた効果を発揮する。これに対して、市販のポリブテニルアミン系清浄剤を含む比較例１及び２の場合には、吸気系デポジット清浄性にはある程度優れるものの、燃焼室デポジットの量は大きく増加してしまう。なお、添加剤を含まない基材ガソリンのみの場合には、特に吸気系デポジット清浄性が悪かった。
【０１３７】
基材軽油としては下記の性状の軽油を用いた。
軽油の性状
セタン価：５４、セタン指数：５４
蒸留性状；初留点：１６３℃、Ｔ１０：２０４℃、Ｔ３０：２５５℃、
Ｔ５０：２８２℃、Ｔ７０：３０４℃、Ｔ９０：３３６℃、
Ｔ９５：３４９℃、蒸留終点：３６１℃
硫黄分  ：３７５質量ｐｐｍ
動粘度（@３０℃）：３．６５８ｍｍ２／秒
密度（@１５℃）：８３４．１ｋｇ/ｍ３
組成分析
飽和分含有量：７３．５容量％
オレフィン含有量：０．１容量％
芳香族分含有量：２６．４容量％
流動点：−１７℃
目詰まり点：−９℃
【０１３８】
[実施例４〜６]、[比較例１２〜１９]及び[参考例１２〜２２]
上記軽油と上記表１の試験サンプル（サンプル１〜２２）とを混合して（軽油９９．９９質量％/試験サンプル０．０１質量％）表３に示す燃料油組成物（軽油組成物）を調製した。
【０１３９】
上記の各軽油組成物に対して以下に示すエンジンのノズル清浄性試験を行った。その結果を表３に示す。なお、比較のため、添加剤を添加しない基材軽油のみの場合（比較例１１）についても同様のノズル清浄性試験を行った。その結果を表３に併記した。
【０１４０】
［ノズル清浄性試験］
排気量２Ｌの４気筒エンジンを使用し、回転１８４０ｒｐｍ、トルク３６．４Ｎｍの条件において４８時間連続運転を行い、試験後のノズルの残存流量割合を測定した。ノズルの残存流量割合とは試験前の新品ノズルの流量に対して試験後のノズル流量の割合を示したものである。なお、ノズル流量は針弁リフト０．１ｍｍ時で測定した。本試験において、ノズル残存流量割合の値が大きい程、清浄性に優れていることを表す。
【０１４１】
【表３】
0004537642.tif 000028
【０１４２】
表３のノズル清浄性試験結果からも明らかなとおり、本発明の軽油組成物（実施例４〜６）は、いずれも噴射ノズル内に堆積したデポジットの清浄性に極めて優れた効果を発揮する。これに対して、基材軽油のみの場合（比較例１１）は噴射ノズル内に堆積したデポジットの清浄性が悪く、燃料の流量低下を起こしてしまう。
【０１４３】
[産業上の利用可能性]
本発明の複素環化合物を含む燃料油添加剤は、従来のガソリン清浄剤を凌駕する性能を備え、さらにディーゼルエンジンの噴射ノズル清浄性にも優れ、しかもそれ自身はスラッジ化することが殆どない。